(57)【特許請求の範囲】
【請求項１】
一方向へ延びていて前記一方向と交差する交差方向へ離間して並ぶ複数のサーバラックと、隣接する前記サーバラックの間に位置して前記一方向へ延びるコールドアイルと、隣接する前記サーバラックの間であって該サーバラックを挟んで前記コールドアイルの反対側に位置し、該コールドアイルと並行して前記一方向へ延びるホットアイルと、前記コールドアイルに所定温度の冷風を給気する空調機とを備え、前記空調機から給気された冷風を床下空間から前記コールドアイルに流入させるとともに、前記コールドアイルから前記サーバラックに通流させ、前記サーバラックに実装されたサーバを冷却する情報処理機器室用空調システムにおいて、
前記空調機には、前記サーバラックよりも上方に配置され、前記空調機に対して近距離の前記コールドアイルの後方エリアから該空調機に対して中距離の該コールドアイルの中央エリアおよび該空調機に対して遠距離の該コールドアイルの前方エリアに向かって前記一方向へ冷風を給気する吹出ユニットが接続され、前記空調システムでは、前記サーバラックへのサーバの実装率があらかじめ設定された設定率を下回る場合、前記空調機から前記床下空間に冷風を給気することなく、前記吹出ユニットから前記サーバを実装したサーバラックが位置するコールドアイルに向かって冷風を給気する第１給気手段を実施し、前記サーバラックへのサーバの実装率が前記設定率を上回った場合、前記吹出ユニットからコールドアイルに向かって冷風を給気しつつ、前記空調機から前記床下空間に冷風を給気する第２給気手段を実施することを特徴とする情報処理機器室用空調システム。
【請求項２】
前記空調システムでは、前記コールドアイルに位置する前記サーバラックの任意の箇所にサーバが実装された後、第１給気手段を実施し、前記サーバラックの任意の箇所から前記コールドアイルの前方エリア、中央エリア、後方エリアのいずれかに向かってサーバが実装されて前記実装率が前記設定率を上回った場合、前記第２給気手段を実施する請求項１に記載の情報処理機器室用空調システム。
【請求項３】
前記空調機が、前記吹出ユニットに給気する冷風の風量を調節する第１ダンパと、前記床下空間に給気する冷風の風量を調節する第２ダンパとを有し、前記第１給気手段では、前記第１ダンパの開度を調節することで、前記サーバラックへのサーバの実装率に応じて前記吹出ユニットから給気する冷風の風量を変更し、前記第２給気手段では、前記第１および第２ダンパの開度を調節することで、前記サーバラックへのサーバの実装率に応じて前記吹出ユニットから給気する冷風の風量と前記床下空間に給気する冷風の風量とを変更する請求項１または請求項２に記載の情報処理機器室用空調システム。
【請求項４】
前記空調機が、前記床下空間と前記吹出ユニットとに冷風を送る少なくとも１台の送風機を有し、前記第１給気手段では、前記送風機の風量を調節することで、前記サーバラックへのサーバの実装率に応じて前記吹出ユニットから給気する冷風の風量を変更し、前記第２給気手段では、前記送風機の風量を調節することで、前記サーバラックへのサーバの実装率に応じて前記吹出ユニットから給気する冷風の風量と前記床下空間に給気する冷風の風量とを変更する請求項１ないし請求項３いずれかに記載の情報処理機器室用空調システム。
【請求項５】
前記空調システムが、前記コールドアイルに延びる前記サーバラックに設置されて該コールドアイルの第１温度を計測する第１温度センサを含み、前記第１給気手段では、前記第１温度センサが計測した第１温度とあらかじめ設定された設定温度とを比較し、前記第１温度が前記設定温度を上回った場合、前記第１温度が前記設定温度の範囲内にあるときよりも前記送風機の風量を増加させて前記吹出ユニットから給気する冷風の風量を増加させ、前記第１温度が前記設定温度以下になった場合、前記第１温度が前記設定温度を上回った場合に増加させた風量を維持しつつ前記維持した風量の冷風を前記吹出ユニットから給気し、前記第２給気手段では、前記第１温度が前記設定温度を上回った場合、前記第１温度が前記設定温度の範囲内にあるときよりも前記送風機の風量を増加させて前記吹出ユニットから給気する冷風の風量と前記床下空間に給気する冷風の風量との少なくとも一方を増加させ、前記第１温度が前記設定温度以下になった場合、前記第１温度が前記設定温度を上回った場合に増加させた風量を維持しつつ前記維持した風量の冷風を前記吹出ユニットおよび前記床下空間から給気する請求項１ないし請求項４いずれかに記載の情報処理機器室用空調システム。
【請求項６】
前記吹出ユニットが、空気流入口と、上下方向へ並ぶとともに前記一方向へ向かって開口する第１〜第ｎ空気吹出口と、前記空気流入口からそれら空気吹出口に向かって延びる第１〜第ｎ空気流路と、それら空気流路に設置されて該空気流路を通る冷風の風速を調整する第１〜第ｎ風速調節機構とを備え、前記空調システムでは、それら風速調節機構を利用して前記第１〜第ｎ空気吹出口から給気される冷風の速度を調節し、それら吹出口から給気される冷風を前記コールドアイルの目標箇所に到達させる請求項１ないし請求項５いずれかに記載の情報処理機器室用空調システム。
【請求項７】
前記空調システムでは、前記吹出ユニットの位置から遠距離の前記コールドアイルの前方エリアに前記第１〜第ｎ空気吹出口のうちの上段に位置する吹出口から冷風を給気し、前記吹出ユニットの位置から中間距離の前記コールドアイルに中央エリアに前記第１〜第ｎ空気吹出口のうちの中段に位置する吹出口から冷風を給気するとともに、前記吹出ユニットの位置から近距離の前記コールドアイルの後方エリアに前記第１〜第ｎ空気吹出口のうちの下段に位置する吹出口から冷風を給気する請求項６に記載の情報処理機器室用空調システム。
【請求項８】
前記空調システムが、前記コールドアイルの天井の所定の箇所に設置された導風機構を含み、前記空調システムでは、前記導風機構を利用して前記吹出ユニットから給気される冷風を前記コールドアイルの目標箇所に誘導する請求項１ないし請求項７いずれかに記載の情報処理機器室用空調システム。
【請求項９】
前記空調システムでは、前記コールドアイルの後方エリア、中央エリア、前方エリアの目標箇所に冷風を誘導する第１〜第ｎ導風機構が前記一方向へ並んだ状態で前記コールドアイルの天井に設置され、前記目標箇所に冷風を誘導するために前記第１〜第ｎ導風機構のうちの少なくとも１つの導風機能をＯＮにする請求項８に記載の情報処理機器室用空調システム。
【請求項１０】
前記第１〜第ｎ導風機構が、上下方向へ延びる風向板と、前記上下方向へ延びていて前記風向板を摺動可能に支持する支持部材とから形成され、前記空調システムでは、前記第１〜第ｎ導風機構の導風機能のＯＮ状態において前記風向板が天井から垂下する請求項９に記載の情報処理機器室用空調システム。
【請求項１１】
前記吹出ユニットから給気される冷風が、コアンダ効果によって前記コールドアイルの天井に沿って該コールドアイルの目標箇所に向かうとともに、前記コアンダ効果によって前記コールドアイルと前記ホットアイルとを仕切るたれ壁に沿って該コールドアイルの目標箇所に向かう請求項１ないし請求項１０いずれかに記載の情報処理機器室用空調システム。
【請求項１２】
前記設定率が、前記サーバラックのすべてにサーバが実装された場合を１００％としたときに、４５〜５５％の範囲で設定され、前記空調システムでは、前記実装率が１％から４５〜５５％になるまでの間で前記第１給気手段を実施し、前記実装率が４５〜５５％から１００％になるまでの間で前記第２給気手段を実施する請求項１ないし請求項１１いずれかに記載の情報処理機器室用空調システム。
【発明の詳細な説明】
【技術分野】
【０００１】
本発明は、情報処理機器室のサーバラックに実装されたサーバを冷却し、サーバの故障を防ぐ情報処理機器室用空調システムに関する。
【背景技術】
【０００２】
データセンターでは、空調室に据え付けたサーバラックに実装された複数台のサーバの稼働によってそれらサーバが自己発熱し、それらサーバの温度が上昇してサーバの故障の原因になることから、空調機によってサーバを冷却する必要がある。データセンターのそれらサーバを冷却するデータセンター用空調システムとしては、データセンターの空調室に設置されて前後方向へ延びる複数のサーバラックと、隣接するサーバラックの間に位置して前後方向へ延びるコールドアイルと、隣接するサーバラックの間であってサーバラックを挟んでコールドアイルの反対側に位置し、コールドアイルと並行して一方向へ延びるホットアイルと、データセンターの空調室に設置された空調機とを有するシステムが知られている。
【０００３】
この空調システムは、空調機によって所定温度に冷却された冷風が空調機から空調室の床下空間に給気されるとともに、冷風が床下空間を通ってコールドアイルに流入し、その冷風がコールドアイルからサーバラックを通流しつつサーバラックに実装されたサーバを冷却する。サーバを冷却した冷風はサーバの熱を吸収した温風に変わり、その温風がサーバラックからホットアイルに流入し、ホットアイルから空調室の天井空間に流入するとともに、天井空間を通って再び空調機に還流する。なお、温風の一部は外気に放出され、残余の温風が外気とともに空調機に流入する。また、床下空間には、サーバラックに収容されたそれらサーバから延びる複数本のケーブルやその他のネットワーク機器から延びる複数本のケーブル、それらケーブルを連結する連結治具等の多数の障害物が収納されている。
【０００４】
サーバラックに実装されたそれらサーバを確実に冷却するためにコールドアイルの天井の上部に前後方向へ並ぶ複数台の局所冷却装置を設置した空調システムが開示されている（特許文献１参照）。この空調システムでは、空調機から床下空間に給気された冷風がサーバラックの下方から上方へ流動しつつラックに実装されたサーバを冷却し、サーバの熱を吸収した温風がサーバラックの上方から流出して局所冷却装置に流入するとともに、空調機に流入する。局所冷却装置に流入した温風は局所冷却装置によって冷却されて冷風に変わり、その冷風がコールドアイルをその上方から下方へ向かって流動しつつサーバラックの側方からラックに流入し、サーバラックに実装されたサーバを冷却する。
【先行技術文献】
【特許文献】
【０００５】
【特許文献１】特開２００９−１３３６１７号公報
【発明の概要】
【発明が解決しようとする課題】
【０００６】
背景技術における既述のそれら空調システムでは、すべてのサーバラックにサーバが実装されていない場合であっても、床下空間に冷風が給気され、その冷風がサーバを実装したサーバラックのみならず、サーバを未実装のサーバラックにも給気されるから、サーバの冷却に利用されない冷風が空調機から給気され、空調機において無駄な冷風を生成する余分な冷風送風エネルギーが消費され、システムにおける省エネルギー化を図ることができない。
【０００７】
前記特許文献１に開示の空調システムでは、コールドアイル全域をその上方から満遍なく冷却することができるが、空調機とは別に複数台の局所冷却装置を設置し、それら局所冷却装置のすべてを稼働させる必要があるから、サーバの冷却時に大量のエネルギーが消費され、システムにおける省エネルギー化を図ることができない。
【０００８】
本発明の目的は、すべてのサーバラックにサーバが実装されていない場合に、必要最小の冷風送風エネルギーによってサーバラックに実装されたサーバを確実に冷却することができ、省エネルギー化を図ることができる情報処理機器室用空調システムを提供することにある。本発明の他の目的は、サーバラックに対するサーバの実装率に応じた風量の冷風を給気することができる情報処理機器室用空調システムを提供することにある。
【課題を解決するための手段】
【０００９】
前記課題を解決するための本発明の前提は、一方向へ延びていて一方向と交差する交差方向へ離間して並ぶ複数のサーバラックと、隣接するサーバラックの間に位置して一方向へ延びるコールドアイルと、隣接するサーバラックの間であってサーバラックを挟んでコールドアイルの反対側に位置し、コールドアイルと並行して一方向へ延びるホットアイルと、コールドアイルに所定温度の冷風を給気する空調機とを備え、空調機から給気された冷風を床下空間からコールドアイルに流入させるとともに、コールドアイルからサーバラックに通流させ、サーバラックに実装されたサーバを冷却する情報処理機器室用空調システムである。
【００１０】
前記前提における本発明の特徴として、空調機には、サーバラックよりも上方に配置され、空調機に対して近距離のコールドアイルの後方エリアから空調機に対して中距離のコールドアイルの中央エリアおよび空調機に対して遠距離のコールドアイルの前方エリアに向かって一方向へ冷風を給気する吹出ユニットが接続され、情報処理機器室用空調システムでは、サーバラックへのサーバの実装率があらかじめ設定された設定率を下回る場合、空調機から床下空間に冷風を給気することなく、吹出ユニットからサーバを実装したサーバラックが位置するコールドアイルに向かって冷風を給気する第１給気手段を実施し、サーバラックへのサーバの実装率が設定率を上回った場合、吹出ユニットからコールドアイルに向かって冷風を給気しつつ、空調機から床下空間に冷風を給気する第２給気手段を実施することにある。
【００１１】
本発明の一例として、情報処理機器室用空調システムでは、コールドアイルに位置するサーバラックの任意の箇所にサーバが実装された後、第１給気手段を実施し、サーバラックの任意の箇所からコールドアイルの前方エリア、中央エリア、後方エリアのいずれかに向かってサーバが実装されて実装率が設定率を上回った場合、第２給気手段を実施する。
【００１２】
本発明の他の一例としては、空調機が、吹出ユニットに給気する冷風の風量を調節する第１ダンパと、床下空間に給気する冷風の風量を調節する第２ダンパとを有し、第１給気手段では、第１ダンパの開度を調節することで、サーバラックへのサーバの実装率に応じて吹出ユニットから給気する冷風の風量を変更し、第２給気手段では、第１および第２ダンパの開度を調節することで、サーバラックへのサーバの実装率に応じて吹出ユニットから給気する冷風の風量と床下空間に給気する冷風の風量とを変更する。
【００１３】
本発明の他の一例としては、空調機が床下空間と吹出ユニットとに冷風を送る少なくとも１台の送風機を有し、第１給気手段では、送風機の風量を調節することで、サーバラックへのサーバの実装率に応じて吹出ユニットから給気する冷風の風量を変更し、第２給気手段では、送風機の風量を調節することで、サーバラックへのサーバの実装率に応じて吹出ユニットから給気する冷風の風量と床下空間に給気する冷風の風量とを変更する。
【００１４】
本発明の他の一例としては、情報処理機器室用空調システムがコールドアイルに延びるサーバラックに設置されてコールドアイルの第１温度を計測する第１温度センサを含み、第１給気手段では、第１温度センサが計測した第１温度とあらかじめ設定された設定温度とを比較し、第１温度が設定温度を上回った場合、第１温度が設定温度の範囲内にあるときよりも送風機の風量を増加させて吹出ユニットから給気する冷風の風量を増加させ、第１温度が設定温度以下になった場合、第１温度が設定温度を上回った場合に増加させた風量を維持しつつ維持した風量の冷風を吹出ユニットから給気し、第２給気手段では、第１温度が設定温度を上回った場合、第１温度が設定温度の範囲内にあるときよりも送風機の風量を増加させて吹出ユニットから給気する冷風の風量と床下空間に給気する冷風の風量との少なくとも一方を増加させ、第１温度が設定温度以下になった場合、第１温度が設定温度を上回った場合に増加させた風量を維持しつつ維持した風量の冷風を吹出ユニットおよび床下空間から給気する。
【００１５】
本発明の他の一例としては、吹出ユニットが、空気流入口と、上下方向へ並ぶとともに一方向へ向かって開口する第１〜第ｎ空気吹出口と、空気流入口からそれら空気吹出口に向かって延びる第１〜第ｎ空気流路と、それら空気流路に設置されて空気流路を通る冷風の風速を調整する第１〜第ｎ風速調節機構とを備え、情報処理機器室用空調システムでは、それら風速調節機構を利用して第１〜第ｎ空気吹出口から給気される冷風の速度を調節し、それら吹出口から給気される冷風をコールドアイルの目標箇所に到達させる。
【００１６】
本発明の他の一例として、情報処理機器室用空調システムでは、吹出ユニットの位置から遠距離のコールドアイルの前方エリアに第１〜第ｎ空気吹出口のうちの上段に位置する吹出口から冷風を給気し、吹出ユニットの位置から中間距離のコールドアイルに中央エリアに第１〜第ｎ空気吹出口のうちの中段に位置する吹出口から冷風を給気するとともに、吹出ユニットの位置から近距離のコールドアイルの後方エリアに第１〜第ｎ空気吹出口のうちの下段に位置する吹出口から冷風を給気する。
【００１７】
本発明の他の一例としては、情報処理機器室用空調システムがコールドアイルの天井の所定の箇所に設置された導風機構を含み、情報処理機器室用空調システムでは、導風機構を利用して吹出ユニットから給気される冷風をコールドアイルの目標箇所に誘導する。
【００１８】
本発明の他の一例として、情報処理機器室用空調システムでは、コールドアイルの後方エリア、中央エリア、前方エリアの目標箇所に冷風を誘導する第１〜第ｎ導風機構が一方向へ並んだ状態でコールドアイルの天井に設置され、目標箇所に冷風を誘導するために第１〜第ｎ導風機構のうちの少なくとも１つの導風機能をＯＮにする。
【００１９】
本発明の他の一例としては、第１〜第ｎ導風機構が、上下方向へ延びる風向板と、上下方向へ延びていて風向板を摺動可能に支持する支持部材とから形成され、情報処理機器室用空調システムでは、第１〜第ｎ導風機構の導風機能のＯＮ状態において風向板が天井から垂下する。
【００２０】
本発明の他の一例としては、吹出ユニットから給気される冷風が、コアンダ効果によってコールドアイルの天井に沿ってコールドアイルの目標箇所に向かうとともに、コアンダ効果によってコールドアイルとホットアイルとを仕切るたれ壁に沿ってコールドアイルの目標箇所に向かう。
【００２１】
本発明の他の一例としては、設定率が、サーバラックのすべてにサーバが実装された場合を１００％としたときに、４５〜５５％の範囲で設定され、情報処理機器室用空調システムでは、実装率が１％から４５〜５５％になるまでの間で第１給気手段を実施し、実装率が４５〜５５％から１００％になるまでの間で第２給気手段を実施する。
【発明の効果】
【００２２】
本発明にかかる情報処理機器室用空調システムによれば、サーバラックへのサーバの実装率があらかじめ設定された設定率を下回る場合、空調機から床下空間に冷風を給気することなく、サーバを実装したサーバラックが位置するコールドアイルに向かって吹出ユニットから冷風を給気するから、サーバラックに実装されたサーバ周辺を選択的に冷却することができ、サーバの冷却に使用する冷風を必要最小限にすることができる。情報処理機器室用空調システムは、吹出ユニットを利用してサーバを実装したサーバラックが位置するコールドアイルのみに冷風が給気されるから、床下のサーバ配線等による送風抵抗や送風ムラの大きい床下空間の空調手段を使用せず、サーバの冷却時に空調機において冷風送風エネルギーの消費が少なく、空調システムにおける省エネルギー化を図ることができる。情報処理機器室用空調システムは、サーバラックへのサーバの実装率が設定率を上回った場合、吹出ユニットからサーバを実装したサーバラックが位置するコールドアイルに向かって冷風を給気しつつ、空調機から床下空間に冷風を給気するから、実装率が設定率を上回り、所定台数のサーバが稼働した場合にそれらサーバのすべてを満遍なく冷却することができ、稼働中のサーバの温度上昇による故障を防ぐことができる。
【００２３】
コールドアイルに位置するサーバラックの任意の箇所にサーバが実装された後に第１給気手段を実施し、サーバラックの任意の箇所からコールドアイルの前方エリア、中央エリア、後方エリアのいずれかに向かってサーバが実装されて実装率が設定率を上回った場合に第２給気手段を実施する情報処理機器室用空調システムは、空調機から近距離のコールドアイルの後方エリアや中距離の中央エリア、遠距離の前方エリアに位置するサーバラックの任意の箇所からサーバが実装されたとしても、サーバが実装されたサーバラックの任意の箇所のコールドアイルに向かって吹出ユニットから冷風を給気するから、サーバラックに実装されたサーバ周辺を選択的に冷却することで、サーバの冷却に使用する冷風を必要最小限にすることができる。情報処理機器室用空調システムは、サーバラックの任意の箇所からコールドアイルの前方エリア、中央エリア、後方エリアのいずれかに向かってサーバが実装されて実装率が設定率を上回った場合、吹出ユニットからサーバを実装したサーバラックが位置するコールドアイルに向かって冷風を給気しつつ、空調機から床下空間に冷風を給気するから、実装率が設定率を上回り、所定台数のサーバが稼働した場合にそれらサーバのすべてを満遍なく冷却することができ、稼働中のサーバの温度上昇による故障を防ぐことができる。
【００２４】
吹出ユニットに給気する冷風の風量を調節する第１ダンパと、床下空間に給気する冷風の風量を調節する第２ダンパとを有し、第１給気手段において第１ダンパの開度を調節することで、サーバラックへのサーバの実装率に応じて吹出ユニットから給気する冷風の風量を変更し、第２給気手段において第１および第２ダンパの開度を調節することで、サーバラックへのサーバの実装率に応じて吹出ユニットから給気する冷風の風量と床下空間に給気する冷風の風量とを変更する情報処理機器室用空調システムは、第１給気手段においてサーバの実装率に応じて第１ダンパの開度を調節しつつ吹出ユニットから給気する冷風の風量を変更することにより、実装率が低いときに吹出ユニットから給気する冷風の風量を少なくし、実装率が増えるにしたがって吹出ユニットから給気する冷風の風量を多くすることができ、第１給気手段において必要最小限の冷風を利用してサーバラックに実装されたサーバを冷却することができる。情報処理機器室用空調システムは、第２給気手段においてサーバの実装率に応じて第１および第２ダンパの開度を調節しつつ、吹出ユニットから給気する冷風の風量と床下空間に給気する冷風の風量とを変更することにより、実装率が設定率を上回った場合でも実装率が低いときに吹出ユニットから給気する冷風の風量や床下空間に給気する冷風の風量を少なくし、実装率が増えるにしたがって吹出ユニットから給気する冷風の風量や床下空間に給気する冷風の風量を多くすることができ、第２給気手段において必要最小限の冷風を利用してサーバラックに実装されたサーバを冷却することができる。
【００２５】
床下空間と吹出ユニットとに冷風を送る少なくとも１台の送風機を有し、第１給気手段において送風機の風量を調節することで、サーバラックへのサーバの実装率に応じて吹出ユニットから給気する冷風の風量を変更し、第２給気手段において送風機の風量を調節することで、サーバラックへのサーバの実装率に応じて吹出ユニットから給気する冷風の風量と床下空間に給気する冷風の風量とを変更する情報処理機器室用空調システムは、第１給気手段においてサーバの実装率に応じて送風機の風量を調節しつつ吹出ユニットから給気する冷風の風量を変更することにより、実装率が低いときに吹出ユニットから給気する冷風の風量を少なくし、実装率が増えるにしたがって吹出ユニットから給気する冷風の風量を多くすることができ、第１給気手段において必要最小限の冷風を利用してサーバラックに実装されたサーバを冷却することができる。情報処理機器室用空調システムは、第２給気手段においてサーバの実装率に応じて送風機の風量を調節しつつ、吹出ユニットから給気する冷風の風量と床下空間に給気する冷風の風量とを変更することにより、実装率が設定率を上回った場合でも実装率が低いときに吹出ユニットから給気する冷風の風量や床下空間に給気する冷風の風量を少なくし、実装率が増えるにしたがって吹出ユニットから給気する冷風の風量や床下空間に給気する冷風の風量を多くすることができ、第２給気手段において必要最小限の冷風を利用してサーバラックに実装されたサーバを冷却することができる。
【００２６】
コールドアイルの第１温度を計測する第１温度センサを含み、第１給気手段において第１温度が前記設定温度を上回った場合、第１温度が設定温度の範囲内にあるときよりも送風機の風量を増加させて吹出ユニットから給気する冷風の風量を増加させ、第１温度が設定温度以下になった場合、第１温度が前記設定温度を上回った場合に増加させた風量を維持しつつその風量の冷風を吹出ユニットから給気し、第２給気手段において第１温度が設定温度を上回った場合、第１温度が設定温度の範囲内にあるときよりも送風機の風量を増加させて吹出ユニットから給気する冷風の風量と床下空間に給気する冷風の風量との少なくとも一方を増加させ、第１温度が設定温度以下になった場合、第１温度が設定温度を上回った場合に増加させた風量を維持しつつその風量の冷風を吹出ユニットおよび床下空間から給気する情報処理機器室用空調システムは、第１給気手段において第１温度が設定温度を上回った場合、サーバラックに実装されたサーバの温度が上昇しており、その場合に送風機の風量を増加させて吹出ユニットから給気する冷風の風量を増加させることで、サーバを十分に冷却してそのサーバの温度を低下させることができ、稼働中のサーバの温度上昇による故障を確実に防ぐことができる。情報処理機器室用空調システムは、第１給気手段において第１温度が設定温度の範囲以下になった場合、第１温度が前記設定温度を上回った場合に増加させた風量を維持しつつその風量の冷風を吹出ユニットから給気することで、温度を低下させたサーバの温度の再上昇を防ぐことができ、低下させたサーバの温度を維持することができる。情報処理機器室用空調システムは、第２給気手段において第１温度が設定温度を上回った場合、サーバラックに実装されたサーバの温度が上昇しており、その場合に送風機の風量を増加させて吹出ユニットから給気する冷風の風量と床下空間に給気する冷風の風量との少なくとも一方を増加させることで、サーバを十分に冷却することができ、稼働中のサーバの温度上昇による故障を確実に防ぐことができる。情報処理機器室用空調システムは、第２給気手段において第１温度が設定温度の範囲以下になった場合、第１温度が設定温度を上回った場合に増加させた風量を維持しつつその風量の冷風を吹出ユニットおよび床下空間から給気することで、温度を低下させたサーバの温度の再上昇を防ぐことができ、低下させたサーバの温度を維持することができる。
【００２７】
吹出ユニットが第１〜第ｎ空気吹出口および第１〜第ｎ空気流路とそれら空気流路を通る冷風の風速を調整する第１〜第ｎ風速調節機構とを備え、それら風速調節機構を利用して第１〜第ｎ空気吹出口から給気される冷風の速度を調節し、それら吹出口から給気される冷風をコールドアイルの目標箇所に到達させる情報処理機器室用空調システムは、第１〜第ｎ風速調節機構を利用することで、第１〜第ｎ空気吹出口から給気される冷風をコールドアイルの目標箇所に到達させることができるから、第１および第２給気手段において、吹出ユニットを利用してサーバを実装したサーバラックが位置するコールドアイル（目標箇所）のみに冷風を給気することができ、サーバラックに実装されたサーバを確実に冷却することができる。情報処理機器室用空調システムは、第１〜第ｎ風速調節機構を利用してサーバを実装したサーバラックが位置するコールドアイルのみに冷風が給気されるから、サーバの冷却時に空調機において必要量以上の冷風送風エネルギーが消費されることはなく、システムにおける省エネルギー化を図ることができる。
【００２８】
吹出ユニットの位置から遠距離のコールドアイルの前方エリアに第１〜第ｎ空気吹出口のうちの上段に位置する吹出口から冷風を給気し、吹出ユニットの位置から中間距離のコールドアイルに中央エリアに第１〜第ｎ空気吹出口のうちの中段に位置する吹出口から冷風を給気するとともに、吹出ユニットの位置から近距離のコールドアイルの後方エリアに第１〜第ｎ空気吹出口のうちの下段に位置する吹出口から冷風を給気する情報処理機器室用空調システムは、吹出ユニットの第１〜第ｎ空気吹出口の上段や中段、下段に位置する吹出口から給気される冷風をコールドアイルの後方エリア、中央エリア、前方エリアに到達させることができるから、第１および第２給気手段において、吹出ユニットの第１〜第ｎ空気吹出口を利用してサーバを実装したサーバラックが位置するコールドアイル（目標箇所）のみに冷風を給気することができ、サーバラックに実装されたサーバを確実に冷却することができる。情報処理機器室用空調システムは、第１〜第ｎ空気吹出口を利用してサーバを実装したサーバラックが位置するコールドアイルのみに冷風が給気されるから、サーバの冷却時に空調機において必要量以上の冷風送風エネルギーが消費されることはなく、システムにおける省エネルギー化を図ることができる。
【００２９】
コールドアイルの天井の所定の箇所に設置された導風機構を含み、導風機構を利用して吹出ユニットから給気される冷風をコールドアイルの目標箇所に誘導する情報処理機器室用空調システムは、吹出ユニットから給気される冷風を導風機構によってコールドアイルの所定の箇所に向かわせることができるから、第１および第２給気手段において、導風機構を利用してサーバを実装したサーバラックが位置するコールドアイル（目標箇所）のみに冷風を給気することができ、サーバラックに実装されたサーバを確実に冷却することができる。
【００３０】
コールドアイルの後方エリア、中央エリア、前方エリアの目標箇所に冷風を誘導する第１〜第ｎ導風機構が一方向へ並んだ状態でコールドアイルの天井に設置され、目標箇所に冷風を誘導するために第１〜第ｎ導風機構のうちの少なくとも１つの導風機能をＯＮにする情報処理機器室用空調システムは、吹出ユニットから給気される冷風を第１〜第ｎ導風機構のうちの少なくとも１つによってコールドアイルの所定の箇所に向かわせることができるから、第１および第２給気手段において、導風機構を利用してサーバを実装したサーバラックが位置するコールドアイル（目標箇所）のみに冷風を給気することができ、サーバラックに実装されたサーバを確実に冷却することができる。
【００３１】
第１〜第ｎ導風機構が上下方向へ延びる風向板と上下方向へ延びていて風向板を摺動可能に支持する支持部材とから形成され、第１〜第ｎ導風機構の導風機能のＯＮ状態において風向板が天井から垂下する情報処理機器室用空調システムは、天井から垂下する風向板を利用することで、吹出ユニットから給気される冷風をコールドアイルの所定の箇所に向かわせることができるから、第１および第２給気手段において、導風機構を利用してサーバを実装したサーバラックが位置するコールドアイル（目標箇所）のみに冷風を給気することができ、サーバラックに実装されたサーバを確実に冷却することができる。
【００３２】
吹出ユニットから給気される冷風がコアンダ効果によってコールドアイルの天井に沿ってコールドアイルの目標箇所に向かうとともに、コアンダ効果によってコールドアイルとホットアイルとを仕切るたれ壁に沿ってコールドアイルの目標箇所に向かう情報処理機器室用空調システムは、吹出ユニットの第１〜第ｎ空気吹出口から給気される冷風をコアンダ効果によってコールドアイルの目標箇所に向かわせることができるから、第１および第２給気手段において、コアンダ効果を利用してサーバを実装したサーバラックが位置するコールドアイル（目標箇所）に冷風を確実に給気することができ、サーバラックに実装されたサーバを確実に冷却することができる。
【００３３】
サーバラックのすべてにサーバが実装された場合を１００％としたときに設定率が４５〜５５％の範囲で設定され、実装率が１％から４５〜５５％になるまでの間で第１給気手段を実施し、実装率が４５〜５５％から１００％になるまでの間で第２給気手段を実施する情報処理機器室用空調システムは、実装率が１％から４５〜５５％になるまでの間で第１給気手段を実施するから、実装率が４５〜５５％になるまでの間において空調機から床下空間に冷風が給気されることはなく、サーバの冷却に使用する冷風を吹出ユニットから給気するそれのみにすることができ、サーバの冷却時に空調機において必要量以上の冷風送風エネルギーが消費されることはなく、システムにおける省エネルギー化を図ることができる。情報処理機器室用空調システムは、実装率が４５〜５５％から１００％になるまでの間で第２給気手段を実施するから、実装率が設定率を上回り、所定台数のサーバが稼働した場合にそれらサーバのすべてを満遍なく冷却することができ、稼働中のサーバの温度上昇による故障を防ぐことができる。
【図面の簡単な説明】
【００３４】
【図１】一例として示す情報処理機器室用空調システムを設置したデータセンターの空調室および機械室の側面図。
【図２】情報処理機器室用空調システムを設置した空調室の正面図。
【図３】情報処理機器室用空調システムを設置した空調室および機械室の上面図。
【図４】一例として示す第１〜第３吹出ユニットの側面図。
【図５】一例として示す第１導風機構の正面図。
【図６】図５の第１導風機構の側面図。
【図７】一例として示す第２導風機構の正面図。
【図８】図７の第２導風機構の側面図。
【図９】一例として示す第３導風機構の正面図。
【図１０】図９の第３導風機構の側面図。
【図１１】他の一例として示す導風機構の正面図。
【図１２】第１給気手段の一例を説明する図１と同様の側面図。
【図１３】第１給気手段の一例を説明する図２と同様の正面図。
【図１４】第１給気手段の他の一例を説明する図１と同様の側面図。
【図１５】第１給気手段の他の一例を説明する図１と同様の側面図。
【図１６】情報処理機器室用空調システムにおいて実施される空調運転を説明するフローチャート。
【図１７】図１６から続くフローチャート。
【図１８】図１６から続くフローチャート。
【図１９】第２給気手段の一例を説明する図１と同様の側面図。
【図２０】第２給気手段の一例を説明する図２と同様の正面図。
【図２１】第１給気手段の他の一例を説明する図１と同様の側面図。
【図２２】第１給気手段の他の一例を説明する図２と同様の正面図。
【図２３】第２給気手段の他の一例を説明する図１と同様の側面図。
【発明を実施するための形態】
【００３５】
一例として示す情報処理機器室用空調システム１０Ａを設置したデータセンター１１の空調室１２および機械室２６の側面図である図１等の添付の図面を参照し、本発明にかかる情報処理機器室用空調システムの詳細を説明すると、以下のとおりである。なお、図２は、情報処理機器室用空調システム１０Ａを設置した空調室１２の正面図であり、図３は、情報処理機器室用空調システム１０Ａを設置した空調室１２および機械室２６の上面図である。図４は、一例として示す第１〜第３吹出ユニット１９ａ〜１９ｃの側面図である。図１では、たれ壁２４の図示を省略し、図２では、第１導風機構５４の図示を省略している。
【００３６】
情報処理機器室空調システム１０Ａは、データセンター１１に設置され、データセンター１１の空調室１２（情報処理機器室）に据え付けられたサーバラック１３（情報処理機器収納専用ラック）に実装された複数台のサーバの冷却に利用される。なお、空調システム１０Ａは、データセンター１１の空調室１２のみならず、複数台のサーバ（その他のネットワーク機器を含む）が設置され、それらサーバを冷却する必要がある各種の室に利用することができる。
【００３７】
情報処理機器室用空調システム１０Ａは、空調室１２に据え付けられたサーバラック１３と、コールドアイル１４およびホットアイル１５と、第１〜第３空調機１６ａ〜１６ｃ（空調機）と、複数の第１温度センサ１７ａ〜１７ｈと、第１〜第３吹出ユニット１８ａ〜１８ｃと、コントローラ１９（制御装置）とから構成されている。サーバラック１３は第１〜第７サーバラック１３ａ〜１３ｇ（第１〜第ｎサーバラック）から形成されているが、サーバラックの個数に特に制限はなく、データセンター１１の規模によって８個以上のサーバラックが設置される場合もある。
【００３８】
なお、図３では、３台の第１〜第３空調機１６ａ〜１６ｃおよび３台の第１〜第３吹出ユニット１８ａ〜１８ｃを図示しているが、空調機や吹出ユニットの台数に特に制限はなく、空調室１２の容積やそこに据え付けられるサーバラック１３ａ〜１３ｇの数によって４台以上の空調機や吹出ユニットが設置されてもよく、１台の空調機や吹出ユニットが設置されてもよい。
【００３９】
それらサーバラック１３ａ〜１３ｇは、前後方向（一方向）へ連続して並ぶとともに、横方向（一方向と交差する交差方向）へ等間隔離間して並び、横方向へ互いに並行するように空調室１２に据え付けられている。サーバラック１３ａ〜１３ｇには、図示はしていないが、複数台のサーバ（その他のネットワーク機器を含む）が設置・固定されている。それらサーバは、電源装置に接続され、その稼働時に運転熱によって自己発熱し、その温度が上昇する。
【００４０】
コールドアイル１４は、隣接するサーバラック１３ａ〜１３ｇの間に位置して前後方向へ延びている。コールドアイル１４は、第１〜第３吹出ユニット１８ａ〜１８ｃ（空調機１６ａ〜１６ｃ）から前方へ離間する前方エリア２０（前端部）と、吹出ユニット１８ａ〜１８ｃ（空調機１６ａ〜１６ｃ）の直前の後方エリア２２（後端部）と、前方エリア２０および後方エリア２２の間の中央エリア２１（中央部）とを有する。前方エリア２０は、吹出ユニット１８ａ〜１８ｃ（空調機１６ａ〜１６ｃ）から離れた遠距離に位置し、中央エリア２１は、吹出ユニット１８ａ〜１８ｃ（空調機１６ａ〜１６ｃ）から中距離に位置する。後方エリア２２は、吹出ユニット１８ａ〜１８ｃ（空調機１６ａ〜１６ｃ）から近い近距離に位置する。
【００４１】
コールドアイル１４は、天井５１（天井パネル）や床５２（床パネル）、側壁と、隣接するサーバラック１３ａ〜１３ｇと、それらサーバラック１３ａ〜１３ｇの頂部２３と天井５１との間に位置して上下方向へ延びるたれ壁２４（図２参照）とに囲繞されている。コールドアイル１４は、通行可能な所定の容積を有し、冷風（冷却空気）が通流する。コールドアイル１４の床５２には、図示はしていないが、前後方向へ延びる冷風吹出開口パネルが施設されている。
【００４２】
ホットアイル１５は、隣接するサーバラック１３ａ〜１３ｇの間であってサーバラック１３ａ〜１３ｇを挟んでコールドアイル１４の反対側に位置し、コールドアイル１４と並行して前後方向へ延びている。ホットアイル１５は、天井５１（天井パネル）や床５２（床パネル）、側壁と、隣接するサーバラック１３ａ〜１３ｇと、たれ壁２４とに囲繞されている。
【００４３】
ホットアイル１５は、通行可能な所定の容積を有し、温風（加熱空気）が通流する。ホットアイル１５の天井５１には、図示はしていないが、前後方向へ延びる温風吸込開口が施設されている。コールドアイル１４とホットアイル１５とは、サーバラック１３ａ〜１３ｇおよびたれ壁２４によって仕切られている。
【００４４】
第１〜第３空調機１６ａ〜１６ｃは、床置き型であり、側壁を隔てて空調室１２に隣接する機械室２５の床に設置されている。それら空調機１６ａ〜１６ｃは、空調室１２から還流した温風と外気との混合気を冷却して空調された所定温度の冷風を作り、その冷風を空調室１２のコールドアイル１４に給気する。空調機１６ａ〜１６ｃには、水冷／インバータ型が使用されているが、空冷式や水冷式の空調機を使用することができる。
【００４５】
それら空調機１６ａ〜１６ｃには、空調室１２からの還流空気と外気との混合気の吸気口２６が設置され、その内部に冷却コイル２７と送風ファン２８とフィルタ（図示せず）と加湿器（図示せず）とが設置されている。送風ファン２８は、インバータ制御によってその送風能力（出力）が調節される。なお、送風ファン２８の台数に特に制限はなく、空調機１６ａ〜１６ｃの空調能力に応じて１台または複数台の送風ファン２８が空調機１６ａ〜１６ｃに設置される。それら空調機１６ａ〜１６ｃの頂部には、第１給気ダクト２９が接続され、それら空調機１６ａ〜１６ｃの底部には、第２給気ダクト３０が接続されている。
【００４６】
第１給気ダクト２９は、空調機１６ａ〜１６ｃの頂部から上方へ向かって延出し、その先端部に吹出ユニット１８ａ〜１８ｃが接続されている。第１給気ダクト２９には、第１モータダンパ３１（第１ダンパ）（ＭＤ）が設置されている。第１給気ダクト２９では、第１モータダンパ３１の開度（モータダンパ３１の旋回羽根の旋回角度）によってそこを通る冷風の風量が調節される。
【００４７】
第１空調機１６ａには、第１給気ダクト２９を介して第１吹出ユニット１８ａが接続され、第２空調機１６ｂには、第１給気ダクト２９を介して第２吹出ユニット１８ｂが接続されているとともに、第３空調機１６ｃには、第１給気ダクト２９を介して第３吹出ユニット１８ｃが接続されている。
【００４８】
第２給気ダクト３０は、空調機１６ａ〜１６ｃの底部から前方へ向かって延出し、その先端部が側壁を貫通して空調室１２の床下空間３２に配置されている。第２給気ダクト３０には、第２モータダンパ３３（第２ダンパ）（ＭＤ）が設置されている。第２給気ダクト３０では、第２モータダンパ３３の開度（モータダンパ３３の旋回羽根の旋回角度）によってそこを通る冷風の風量が調節される。
【００４９】
第１〜第３空調機１６ａ〜１６ｃそれぞれの底部から延びるそれら第２給気ダクト３０の先端部が空調室１２の床下空間３２に位置している。コールドアイル１４の中央エリア２１に位置する床下空間３２には、床下導風機構５３（風向板）が設置されている。床下導風機構５３は、床５２から床下空間３２に向かって垂下している。床下導風機構５３は、空間３２における冷風の流れをコントロールするとともに、コールドアイル１４の風速分布を適正に整える。床下空間３２には、図示はしていないが、サーバラック１３に収容されたそれらサーバから延びる複数本のケーブルやその他のネットワーク機器から延びる複数本のケーブル、それらケーブルを連結する連結治具等の多数の障害物が収納されている。
【００５０】
第１温度センサ１７ａ〜１７ｈは、コールドアイル１４に延びるサーバラック１３ａ，１３ｃ，１３ｅ，１３ｇに配置されている。第１温度センサ１７ａ〜１７ｈのうちの温度センサ１７ａ〜１７ｄは、コールドアイル１４の側に位置するサーバラック１３ａ，１３ｃ，１３ｅ，１３ｇの頂部２３に設置されて前後方向（一方向）へ等間隔離間して並んでいる。温度センサ１７ａ〜１７ｄは、サーバラック１３ａ，１３ｃ，１３ｅ，１３ｇの頂部２３におけるコールドアイル１４の第１温度を計測し、計測した第１温度信号をコントローラ１９に送信する。
【００５１】
第１温度センサ１７ａ〜１７ｈのうちの温度センサ１７ｅ〜１７ｈは、コールドアイル１４の側に位置するサーバラック１３ａ，１３ｃ，１３ｅ，１３ｇの底部３４に設置されて前後方向（一方向）へ等間隔離間して並んでいる。温度センサ１７ｅ〜１７ｈは、サーバラック１３ａ，１３ｃ，１３ｅ，１３ｇの底部３４におけるコールドアイル１４の第１温度を計測し、計測した第１温度信号をコントローラ１９に送信する。図１では、前後方向へ４つの第１温度センサが略等間隔で並んでいるが、空調室１２に据え付けられるサーバラック１３ａ〜１３ｇの数によって５つ以上の第１温度センサが略等間隔で設置される場合もある。
【００５２】
第１〜第３吹出ユニット１８ａ〜１８ｃは、コールドアイル１４の天井５１の下方（直下）とサーバラック１３ａ〜１３ｇの頂部２４の上方との間に位置し、コールドアイル１４の後方エリア２２から前方エリア２０に向かって前後方向（一方向）へ冷風を給気する。第１〜第３吹出ユニット１８ａ〜１８ｃは、図４に示すように、第１給気ダクト２９の先端部に連結された給気チャンバ３５と、給気チャンバ３５に連結されてチャンバ３５から前方へ延びる第１〜第３分岐ダクト３６ａ〜３６ｃと、第１〜第３分岐ダクト３６ａ〜３６ｃに設置された第１〜第３風速調節ダンパ３７ａ〜３７ｃ（第１〜第ｎ風速調節機構）と、それら分岐ダクト３６ａ〜３６ｃに連結された吹出ハウジング３８とから形成されている。
【００５３】
第１〜第３分岐ダクト３６ａ〜３６ｃは、上方から下方に向かって第１分岐ダクト３６ａ、第２分岐ダクト３６ｂ、第３分岐ダクト３６ｃの順で並んでいる。第１分岐ダクト３６ａには、第１風速調節ダンパ３７ａが設置され、第２分岐ダクト３６ｂには、第２風速調節ダンパ３７ｂが設置されているとともに、第３分岐ダクト３６ｃには、第３風速調節ダンパ３７ｃが設置されている。
【００５４】
第１〜第３風速調節ダンパ３７ａ〜３７ｃには、風量調節ダンパ（ＶＤ）が使用されているが、モータダンパ（ＭＤ）を使用することもできる。第１〜第３分岐ダクト３６ａ〜３６ｃでは、第１〜第３風速調節ダンパ３７ａ〜３７ｃの開度（風速調節ダンパ３７ａ〜３７ｃの旋回羽根の旋回角度）を調節することによってそれらダクト３６ａ〜３６ｃを通る冷風の風速（風量）が調節される。
【００５５】
吹出ハウジング３８は、前後壁と頂底壁と両側壁とを有し、それら壁に囲繞された内部空間３９を有する。吹出ハウジング３８は、空調室１２と機械室２５とを仕切る側壁に固定されている。後壁には、第１〜第３空気流入口４０ａ〜４０ｃ（空気流入口）が作られている。それら空気流入口４０ａ〜４０ｃは、上方から下方に向かってコールドアイル１４の天井５１近傍に位置する第１空気流入口４０ａ、第１空気流入口４０ａの直下に位置する第２空気流入口４０ｂ、第２空気流入口４０ｂの直下に位置する第３空気流入口４０ｃの順で並んでいる。
【００５６】
第１空気流入口４０ａには、第１分岐ダクト３６ａが連結され、第２空気流入口４０ｂには、第２分岐ダクト３６ｂが連結されている。第３空気流入口４０ｃには、第３分岐ダクト３６ｃが連結されている。前壁には、第１〜第３空気吹出口４１ａ〜４１ｃ（第１〜第ｎ空気吹出口）が作られている。それら空気吹出口４１ａ〜４１ｃは、上方から下方に向かってコールドアイル１４の天井５１近傍（上段）に位置する第１空気吹出口４１ａ、第１空気吹出口４１ａの直下（中段）に位置する第２空気吹出口４１ｂ、第２空気吹出口４１ｂの直下（下段）に位置する第３空気吹出口４１ｃの順で並んでいる。
【００５７】
吹出ハウジング３８の内部空間３９には、仕切板４２が設置されている。吹出ハウジング３８の内部空間３９は、それら仕切板４２によって第１〜第３空気流路４３ａ〜４３ｃ（第１〜第ｎ空気流路）が作られている。それら空気流路４３ａ〜４３ｃは、上方から下方に向かって上段の第１空気流路４３ａ、中段の第２空気流路４３ｂ、下段の第３空気流路４３ｃの順で並んでいる。第１空気流路４３ａは、第１空気流入口４０ａと第１空気吹出口４１ａとの間に延びている。第２空気流路４３ｂは、第２空気流入口４０ｂと第２空気吹出口４１ｂとの間に延びている。第３空気流路４３ｃは、第３空気流入口４０ｃと第３空気吹出口４１ｃとの間に延びている。
【００５８】
吹出ユニット１８ａ〜１８ｃでは、第１〜第３風速調節ダンパ３７ａ〜３７ｃの開度を調節することで、第１〜第３空気吹出口４１ａ〜４１ｃから給気される冷風の速度を調節し、それら吹出口４１ａ〜４１ｃから給気される冷風のコールドアイル１４における前方への到達距離を変更する。
【００５９】
コントローラ１９は、中央処理部（ＣＰＵまたはＭＰＵ）とメモリ（メインメモリおよびキャッシュメモリ）とを有するコンピュータであり、記憶デバイスが内蔵されている。コントローラ１９には、テンキーユニット（図示せず）やディスプレイ（図示せず）等の入出力装置がインターフェイスを介して接続されている。コントローラ１９の中央処理部は、オペレーティングシステムによる制御に基づいて、メモリからアプリケーションを起動し、起動したアプリケーションに従って、後記する第１給気手段および第２給気手段を実施する。
【００６０】
コントローラ１９には、送風ファン２８の制御部が信号線または無線によって電気的に接続され、第１および第２モータダンパ３１，３３の制御部が信号線または無線によって電気的に接続されているとともに、第１温度センサ１７ａ〜１７ｈが信号線または無線によって電気的に接続されている。
【００６１】
コントローラ１９には、入力装置を利用してサーバラック１３ａ〜１３ｇに対するサーバの実装率（実装位置情報および実装量情報）が入力される。実装率は、コントローラ１９の記憶デバイスに格納される。記憶デバイスには、サーバラック１３ａ〜１３ｇに対するサーバの設定率が格納されている。設定率は、サーバラック１３ａ〜１３ｇのすべてにサーバが実装された場合を１００％としたときに、４５〜５５％の範囲の中で設定される。設定率は、前記範囲であれば、入力装置を利用して自由に変更することができる。記憶デバイスには、コールドアイル１４の設定温度が格納されている。設定温度は、入力装置を介して自由に変更することができる。
【００６２】
コントローラ１９の記憶デバイスには、第１給気手段において、第１給気ダクト２９から吹出ユニット１８ａ〜１８ｃに給気する冷風の風量に対する第１モータダンパ３１の開度が格納され、第１給気ダクト２９から吹出ユニット１８ａ〜１８ｃに給気する冷風の風量に対する送風ファン２８の出力（送風能力）が格納されている。記憶デバイスには、第２給気手段において、第１および第２給気ダクト２９，３０から給気する冷風の風量に対する第１および第２モータダンパ３１，３３の開度が格納され、第１および第２給気ダクト２９，３０から給気する冷風の風量に対する送風ファン２８の送風能力（出力）が格納されている。
【００６３】
コントローラ１９の記憶デバイスには、第１温度センサ１７ａ〜１７ｈのいずれかが計測した第１温度が設定温度を上回った場合の送風ファン２８の出力（送風能力）の増加割合（風量の増加量）が格納されている。記憶デバイスには、第１温度センサ１７ａ〜１７ｈのいずれかが計測した第１温度が設定温度を下回った場合の送風ファン２８の出力（送風能力）の減少割合（風量の減少量）が格納されている。
【００６４】
なお、図３に示すように、隣接する空調機１６ａ，１６ｂどうしがバイパスダクト４４によって連結され、隣接する空調機１６ｂ，１６ｃどうしがバイパスダクト４４によって連結され、システム１０Ａが冗長化されている。バイパスダクト４４には、バイパスダンパ４５が設置されている。通常の空調運転時では、バイパスダンパ４５の空気流路が閉鎖（開度が０）されている。
【００６５】
情報処理機器室用空調システム１０Ａでは、たとえば、空調機１６ｃが何らかの原因で故障した場合、または、空調機１６ｃのメンテナンスが必要な場合、バイパスダンパ４５を開放（全開）し、空調機１６ａや空調機１６ｂから空調機１６ｃの冷風の不足分を補うことができ、システム１０Ａの不用意な停止を防ぐことができるとともに、システム１０Ａを停止させることなく故障した空調機１６ｃを修理することや空調機１６ｃのメンテナンスを行うことができる。
【００６６】
図５は、一例として示す第１導風機構４６ａの正面図であり、図６は、図５の第１導風機構４６ａの側面図である。図７は、一例として示す第２導風機構４６ｂの正面図であり、図８は、第２導風機構４６ｂの側面図である。図９は、一例として示す第３導風機構４６ｃの正面図であり、図１０は、第３導風機構４６ｃの側面図である。図１１は、他の一例として示す導風機構４６ｄの正面図である。
【００６７】
コールドアイル１４の前方エリア２０と中央エリア２１との間に延びる天井５１の所定の箇所には、第１〜第３導風機構４６ａ〜４６ｃ（第１〜第ｎ導風機構）が設置されている。なお、導風機構の設置箇所は、任意に決定することができる。また、図１では天井５１に３個の第１〜第３導風機構４６ａ〜４６ｃが設置されているが、導風機構の個数について特に制限はなく、サーバラック１３ａ〜１３ｇの前後方向への長さによって４個以上の導風機構（第１〜第ｎ導風機構）が設置される場合もある。
【００６８】
図５に示す第１導風機構４６ａは、コールドアイル１４の前方アリア２０の側の天井５１に旋回可能に設置され、その使用時に天井５１から垂下する。第１導風機構４６ａは、上下方向へ延びる風向板４７と、上下方向へ延びていて風向板４７を摺動可能に支持する支持枠４８（支持部材）とから形成されている。第１導風機構４６ａでは、風向板４７を支持枠４８に挿脱可能に挿入する。第１導風機構４６ａは、図６に矢印で示すように、吹出ユニット１８ａ〜１８ｃの上段の第１空気吹出口４１ａから給気された冷風が風向板４７に当たることで、冷風を前後方向から下方（サーバラックの方向）へ誘導する。
【００６９】
図７に示す第２導風機構４６ｂは、コールドアイル１４の前方エリア２０と中央エリア２１との間の天井５１に旋回可能に設置され、その使用時に天井５１から垂下する。第２導風機構４６ｂは、風向板４７と、風向板４７を摺動可能に支持する支持枠４８（支持部材）とから形成されている。第２導風機構４６ｂでは、風向板４７が支持枠４８の下２／３に位置して支持枠４８の下２／３が閉鎖され、支持枠４８の上１／３が開放され、上１／３に通気口４９が形成されている。
【００７０】
第２導風機構４６ｂは、図８に矢印で示すように、吹出ユニット１８ａ〜１８ｃの上段の第１空気吹出口４１ａから給気された冷風が支持枠４８の上１／３に形成された通気口４９を通って前方へ流動し、吹出ユニット１８ａ〜１８ｃの中段の第２空気吹出口４１ｂや下段の第３空気吹出口４１ｃから給気された冷風が風向板４７に当たることで、冷風を前後方向から下方（サーバラックの方向）へ誘導する。
【００７１】
図９に示す第３導風機構４６ｃは、コールドアイル１４の中央エリア２１の側の天井５１に旋回可能に設置され、その使用時に天井５１から垂下する。第３導風機構４６ｃは、風向板４７と、風向板４７を摺動可能に支持する支持枠４８（支持部材）とから形成されている。第３導風機構４６ｃでは、風向板４７が支持枠４８の下１／３に位置して支持枠４８の下１／３が閉鎖され、支持枠４８の上２／３が開放され、上２／３に通気口４９が形成されている。
【００７２】
第３導風機構４６ｃでは、図１０に矢印で示すように、吹出ユニット１８ａ〜１８ｃの上段および中段の第１および第２空気吹出口４１ａ，４１ｂから給気された冷風が支持枠４８の上２／３に形成された通気口４９を通って前方へ流動し、吹出ユニット１８ａ〜１８ｃの下段の第３空気吹出口４１ｃから給気された冷風が風向板４７に当たることで、冷風を前後方向から下方（サーバラックの方向）へ誘導する。
【００７３】
図１１に示す導風機構４６ｄは、風向板４７と、風向板４７を摺動可能に支持する支持枠４８（支持部材）とから形成されている。この導風機構４６ｄでは、風向板４７が支持枠４８の上１／３に位置して支持枠４８の上１／３が閉鎖され、支持枠４８の下２／３が開放され、下２／３に通気口４９が形成されている。なお、図示のそれら導風機構４６ａ〜４６ｄは例示であり、他の形態の導風機構を利用することもできる。
【００７４】
それら導風機構４６ａ〜４６ｄでは、風向板４７の上下方向の長さを調節することにより、導風機構４６ａ〜４６ｄのサーバラック１３ａ〜１３ｇの頂部２３から上方への延出寸法（閉鎖寸法）を調節可能であり、導風機構４６ａ〜４６ｄの通気口４９の天井５１から下方への延出寸法（開放寸法）を調節可能である。また、風向板４７の上下方向の長さを調節することにより、導風機構４６ａ〜４６ｄの天井５１から下方への延出寸法（閉鎖寸法）を調節可能であり、導風機構４６ａ〜４６ｄの通気口４９のサーバラック１３ａ〜１３ｇの頂部２３から上方への延出寸法（開放寸法）を調節可能である。
【００７５】
それら導風機構４６ａ〜４６ｄには、図示はしていないが、自動開閉装置が設置されている。導風機構４６ａ〜４６ｄの自動開閉装置は、信号線または無線によってコントローラ１９に電気的に接続されている。図６，８，１０に矢印で示すように、自動開閉装置によって導風機構４６ａ〜４６ｄを天井５１に対して上下方向へ自動的に旋回させることができる。
【００７６】
導風機構４６ａ〜４６ｄを天井５１から下方へ旋回させることで、導風機構４６ａ〜４６ｄ（風向板４７および支持枠４８）が天井５１から垂下し、垂下した状態から導風機構４６ａ〜４６ｄを上方へ旋回させることで、導風機構４６ａ〜４６ｄ（風向板４７および支持枠４８）が天井５１に収納される。なお、導風機構４６ａ〜４６ｄに自動開閉装置が設置されていない場合は、導風機構４６ａ〜４６ｄを手動で旋回させる。
【００７７】
図１２は、第１給気手段の一例を説明する図１と同様の側面図であり、図１３は、第１給気手段の一例を説明する図２と同様の正面図である。図１４は、第１給気手段の他の一例を説明する図１と同様の側面図であり、図１５は、第１給気手段の他の一例を説明する図１と同様の側面図である。図１６は、情報処理機器室用空調システム１０Ａにおいて実施される空調運転を説明するフローチャートであり、図１７は、図１６から続くフローチャートである。図１８は、図１６から続くフローチャートである。図１２，図１４，図１５では、コントローラ１９の図示を省略し、空調機１６ａおよび吹出ユニット１８ａのみを例示して第１給気手段を説明する。図１３では、第１〜第３導風機構４６ａ〜４６ｃおよび床下導風機構５３の図示を省略している。
【００７８】
データセンター１１では、サーバラック１３ａ〜１３ｇに実装された複数台のサーバの稼働によってそれらサーバが自己発熱し、それらサーバの温度が上昇する。サーバの温度上昇をそのまま放置すると、サーバが故障する場合があり、データセンター１１の運営に支障が生じる。したがって、空調機１６ａ〜１６ｃから冷風を給気してそれらサーバを冷却する必要がある。
【００７９】
ただし、すべてのサーバラック１３ａ〜１３ｇにサーバが実装されておらず、サーバラック１３ａ〜１３ｇにおけるサーバの実装率が低い場合にそれらサーバラック１３ａ〜１３ｇのすべてに冷風を給気すると、冷風の無駄が生じ、空調機１６ａ〜１６ｃにおいて無駄な冷風を生成する余分な冷風送風エネルギーが消費され、システム１０Ａの省エネルギー化を図ることができない。
【００８０】
この情報処理機器室用空調システム１０Ａでは、吹出ユニット１８ａ〜１８ｃ（空調機１６ａ〜１６ｃ）から離れた遠距離のコールドアイル１４の前方エリア２０に位置する第７サーバラック１３ｇからサーバが実装され、サーバの実装率があらかじめ設定された設定率を下回る場合、第１給気手段を実施する。情報処理機器室用空調システム１０Ａでは、前方エリア２０に位置する第７サーバラック１３ｇから後方エリア２２に位置する第１サーバラック１３ａに向かってサーバが実装されて実装率が設定率を上回った場合、第２給気手段を実施する。
【００８１】
情報処理機器室用空調システム１０Ａが起動し、入力装置によってサーバの実装率（実装位置情報および実装量情報）が入力され、その実装率が記憶デバイスに格納されると、コントローラ１９は、入力された実装率、あらかじめ設定された設定率（たとえば、４５〜５５％の範囲の中から５０％に設定されたものとする）、あらかじめ設定された設定温度を記憶デバイスから読み込む（Ｓ−１０）。
【００８２】
次に、コントローラ１９は、実装率と設定率（５０％）とを比較し、実装率が設定率を下回っているかを判断する（Ｓ−１１）。逆に、ステップ１１（Ｓ−１１）において実装率が設定率を上回っているかを判断してもよい。図１２では、第７サーバラック１３ｇのみにサーバが実装され、第１〜第６サーバラック１３ａ〜１３ｆにサーバが実装されておらず、サーバラック１３ａ〜１３ｇ全体に対するサーバの実装率が約１４．２％である。したがって、実装率（約１４．２％）が設定率（５０％）未満であり、実装率が設定率を下回る。
【００８３】
コントローラ１９は、サーバの実装率が設定率を下回ると判断し、空調機１６ａから床下空間３２に冷風を給気することなく、吹出ユニット１８ａからサーバを実装した第７サーバラック１３ｇが位置するコールドアイル１４に向かって冷風を給気する第１給気手段を実施する（Ｓ−１２）。第１給気手段は、実装率１％から４５〜５５％（設定率）になるまで実施される。コントローラ１９は、第１給気手段において、吹出ユニット１８ａから給気される冷風と床下空間３２に給気される冷風との全風量を１００％としたときに、吹出ユニット１８ａから給気する冷風の風量を例えば２０％に調節する。
【００８４】
コントローラ１９は、送風ファン２８の制御部に起動信号を送信するとともに、吹出ユニット１８ａから給気する冷風の風量２０％に対応する出力（送風能力）指示信号を送風ファン２８の制御部に送信する。送風ファン２８の制御部は、コントローラ１９からの起動信号にしたがって送風ファン２８を起動させるとともに、コントローラ１９からの出力指示信号にしたがって送風ファン２８の出力をインバータ制御し、吹出ユニット１８ａから給気する冷風の風量２０％に対応する出力を維持する。第１給気手段では、送風ファン２８の出力を調節することで、サーバラック１３ａ〜１３ｇへのサーバの実装率に応じて吹出ユニット１８ａから給気する冷風の風量が変更される。なお、サーバの実装率に応じた送風ファン２８の出力は任意に設定することができる。
【００８５】
コントローラ１９は、第１モータダンパ３１の制御部に起動信号を送信するとともに、吹出ユニット１８ａから給気する冷風の風量２０％対応する開度指示信号をモータダンパ３１の制御部に送信する。第１モータダンパ３１の制御部は、コントローラ１９からの起動信号にしたがってモータダンパ３１を起動させるとともに、コントローラ１９からの開度指示信号にしたがって開度を開度指示信号のそれに一致させ、吹出ユニット１８ａから給気する冷風の風量２０％に対応する開度を維持する。第１給気手段では、第１モータダンパ３１の開度を調節することで、サーバラック１３ａ〜１３ｇへのサーバの実装率に応じて吹出ユニット１８ａから給気する冷風の風量が変更される。なお、サーバの実装率に応じたモータダンパ３１の開度は任意に設定することができる。
【００８６】
コントローラ１９は、第１導風機構４６ａの自動開閉装置にＯＮ信号（開信号）を送信する。自動開閉装置は、コントローラ１９から送信されたＯＮ信号にしたがって第１導風機構４６ａを天井５１から下方へ旋回させる。それによって第１導風機構４６ａが天井５１から垂下する。第２および第３導風機構４６ｂ，４６ｃにはＯＮ信号が送信されず、それら導風機構４６ｂ，４６ｃが天井５１に収納された状態が維持される。
【００８７】
送風ファン２８を介して空調機１６ａから給気された冷風は、モータダンパ３１を通って吹出ユニット１８ａに流入し、図１２に示すように、吹出ユニット１８ａの上段の第１吹出口４１ａからコールドアイル１４の前方エリア２０に向かって前方へ給気される。冷風は、コールドアイル１４の前方エリア２０に達すると、第１導風機構４６ａの風向板４７に衝突し、その進行方向が前後方向から下方向に変更され、第７サーバラック１３ｇに向かって誘導される。
【００８８】
吹出ユニット１８ａの第１吹出口４１ａから給気された冷風は、コアンダ効果によってコールドアイル１４の天井５１とたれ壁２４とに沿ってコールドアイル１４の前方エリア２０（目標箇所）に向かう。コアンダ効果を利用してサーバを実装した第７サーバラック１３ｇが位置するコールドアイル１４に冷風が確実に給気される。
【００８９】
なお、図１２の吹出ユニット１８ａの遠方へ給気する第１給気手段の実施時では、第１〜第３風速調節ダンパ３７ａ〜３７ｃが開放されており、その中で第１風速調節ダンパ３７ａの風速設定が最も速い。この場合、冷風が第１〜第３吹出口４１ａ〜４１ｃからコールドアイル１４の前方エリア２０に向かって前方へ給気される。
【００９０】
サーバラック１３ｇに向かった冷風は、図１３に矢印で示すように、第７サーバラック１３ｇの側方からサーバラック１３ｇに流入し、サーバラック１３ｇを通流しつつサーバラック１３ｇに実装されたサーバを冷却する。サーバを冷却した冷風はサーバの熱を吸収して温風に変わり、その温風がサーバラック１３ｇの側方から流出してホットアイル１５に流入する。
【００９１】
ホットアイル１５に流入した温風は、温風吸込開口を通って空調室１２の天井空間５０に流入した後、図１２に矢印で示すように、天井空間５０を通って空調室１２から機械室２５に流入し、再び空調機１６ａに還流する。なお、温風の一部は外気に放出され、残余の温風と外気との混合気が空調機１６ａに流入する。空調機１６ａに流入した温風（混合気）は、空調機１６ａによって冷却されて冷風となり、吹出ユニット１８ａから再びコールドアイル１４の第７サーバラック１３ｇに向かって給気される。
【００９２】
図１４に示す情報処理機器室用空調システム１０Ａでは、第６および第７サーバラック１３ｆ，１３ｇにサーバが実装され、第１〜第５サーバラック１３ａ〜１３ｅにサーバが実装されておらず、実装率が約２８．５％である。したがって、実装率（約２８．５％）が設定率（５０％）未満であり、実装率が設定率を下回る。入力装置によって実装率（２８．５％および実装位置情報）が入力されると、コントローラ１９は、記憶デバイスから実装率および設定率、設定温度を読み込み（Ｓ−１０）、ステップ１１（Ｓ−１１）において実装率（２８．５％）と設定率（５０％）とを比較し、実装率が設定率を下回っているかを判断する（または、実装率が設定率を上回っているかを判断する）。
【００９３】
コントローラ１９は、実装率が設定率を下回ると判断すると、空調機１６ａから床下空間３２に冷風を給気することなく、吹出ユニット１８ａからサーバを実装した第６および第７サーバラック１３ｆ，１３ｇが位置するコールドアイル１４に向かって冷風を給気する第１給気手段を実施する（Ｓ−１２）。コントローラ１９は、第１給気手段において、吹出ユニット１８ａから給気される冷風と床下空間３２に給気される冷風との全風量を１００％としたときに、吹出ユニット１８ａから給気する冷風の風量を例えば３０％に調節する。
【００９４】
コントローラ１９は、吹出ユニット１８ａから給気する冷風の風量３０％に対応する開度指示信号を第１モータダンパ３１の制御部に送信する。第１モータダンパ３１の制御部は、コントローラ１９からの開度指示信号にしたがって開度を開度指示信号のそれに一致させ、吹出ユニット１８ａから給気する冷風の風量３０％対応する開度を維持する。
【００９５】
コントローラ１９は、吹出ユニット１８ａから給気する冷風の風量３０％対応する出力（送風能力）指示信号を送風ファン２８の制御部に送信する。送風ファン２８の制御部は、コントローラ１９からの出力指示信号にしたがって送風ファン２８の出力をインバータ制御し、吹出ユニット１８ａから給気する冷風の風量３０％対応する出力を維持する。
【００９６】
コントローラ１９は、第２導風機構４６ｂの自動開閉装置にＯＮ信号（開信号）を送信する。自動開閉装置は、コントローラ１９から送信されたＯＮ信号にしたがって導風機構４６ｂを天井５１から下方へ旋回させる。それによって導風機構４６ｂが天井５１から垂下する。第１導風機構４６ａは既に天井５１から垂下している。第２導風機構４６ｃにはＯＮ信号が送信されず、導風機構４６ｃが天井５１に収納された状態が維持される。
【００９７】
送風ファン２８を介して空調機１６ａから給気された冷風は、第１モータダンパ３１を通って吹出ユニット１８ａに流入し、図１４に示すように、吹出ユニット１８ａの上段から下段の第１〜第３吹出口４１ａ〜４１ｃから給気される。このとき、第３吹出口４１ｃの風速を最も遅くすることで、冷風がコールドアイル１４の前方エリア２０および前方エリア２０と中央エリア２１との間に向かって前方へ給気される。
【００９８】
第１吹出口４１ａから給気された冷風は、第２導風機構４６ｂの上１／３に形成された通気口４９を通過した後、第１導風機構４６ａの風向板４７に衝突し、第７サーバラック１３ｇに向かって誘導される。第２吹出口４１ｂから給気された冷風は、第２導風機構４６ｂの下２／３を閉鎖する風向板４７に衝突し、その進行方向が前後方向から下方向に変更され、第６サーバラック１３ｆに向かって誘導される。
【００９９】
なお、図１２と同様に、吹出ユニット１８ａの第１吹出口４１ａから給気された冷風は、コアンダ効果によってコールドアイル１４の天井５１とたれ壁２４とに沿ってコールドアイル１４の前方エリア２０（目標箇所）に向かう。コアンダ効果を利用してサーバを実装した第７サーバラック１３ｇが位置するコールドアイル１４に冷風が確実に給気される。
【０１００】
なお、図１４に示す第１給気手段の実施時では、吹出ユニット１８ａの上段から下段の第１〜第３吹出口４１ａ〜４１ｃから給気される。このとき、第３吹出口４１ｃの風速を最も遅くすることで、冷風がコールドアイル１４の前方エリア２０および前方エリア２０と中央エリア２１との間に向かって前方へ給気される。
【０１０１】
第６および第７サーバラック１３ｆ，１３ｇに向かった冷風は、サーバラック１３ｆ，１３ｇの側方からサーバラック１３ｆ，１３ｇに流入し、サーバラック１３ｆ，１３ｇを通流しつつサーバラック１３ｆ，１３ｇに実装されたサーバを冷却する。サーバラック１３ｆ，１３ｇを通流した給気された冷風の移動経路は、図１２，１３に示すそれと同一である。
【０１０２】
図１５に示す情報処理機器室用空調システム１０Ａでは、第５〜第７サーバラック１３ｅ〜１３ｇにサーバが実装され、第１〜第４サーバラック１３ａ〜１３ｄにサーバが実装されておらず、実装率が約４２．８％である。したがって、実装率（約４２．８％）が設定率（５０％）未満であり、実装率が設定率を下回る。入力装置によって実装率（４２．８％および実装位置情報）が入力されると、コントローラ１９は、記憶デバイスから実装率および設定率、設定温度を読み込み（Ｓ−１０）、ステップ１１（Ｓ−１１）において実装率（４２．８％）と設定率（５０％）とを比較し、実装率が設定率を下回っているかを判断する（または、実装率が設定率を上回っているかを判断する）。
【０１０３】
コントローラ１９は、実装率が設定率を下回ると判断すると、空調機１６ａから床下空間３２に冷風を給気することなく、吹出ユニット１８ａからサーバを実装したサーバラック１３ｅ〜１３ｇが位置するコールドアイル１４に向かって冷風を給気する第１給気手段を実施する（Ｓ−１２）。コントローラ１９は、第１給気手段において、吹出ユニット１８ａから給気される冷風と床下空間３２に給気される冷風との全風量を１００％としたときに、吹出ユニット１８ａから給気する冷風の風量を例えば４０％に調節する。
【０１０４】
コントローラ１９は、吹出ユニット１８ａから給気する冷風の風量４０％に対応する出力（送風能力）指示信号を送風ファン２８の制御部に送信する。送風ファン２８の制御部は、コントローラ１９からの出力指示信号にしたがって送風ファン２８の出力をインバータ制御し、吹出ユニット１８ａから給気する冷風の風量４０％に対応する出力を維持する。
【０１０５】
コントローラ１９は、吹出ユニット１８ａから給気する冷風の風量４０％対応する開度指示信号を第１モータダンパ３１の制御部に送信する。第１モータダンパ３１の制御部は、コントローラ１９からの開度指示信号にしたがって開度を開度指示信号のそれに一致させ、吹出ユニット１８ａから給気する冷風の風量４０％に対応する開度を維持する。
【０１０６】
コントローラ１９は、第３導風機構４６ｃの自動開閉装置にＯＮ信号（開信号）を送信する。自動開閉装置は、コントローラ１９から送信されたＯＮ信号にしたがって第３導風機構４６ｃを天井５１から下方へ旋回させる。それによって導風機構４６ｃが天井５１から垂下する。第１および第２導風機構４６ａ，４６ｂは既に天井５１から垂下している。なお、吹出ユニット１８ａでは、第１〜第３風速調節ダンパ３７ａ〜３７ｄが開放されている。
【０１０７】
送風ファン２８を介して空調機１６ａから給気された冷風は、モータダンパ３１を通って吹出ユニット１８ａに流入し、図１５に示すように、吹出ユニット１８ａの第１〜第３吹出口４１ａ〜４１ｃからコールドアイル１４の前方エリア２０および中央エリア２１並びに前方エリア２０と中央エリア２１との間に向かって前方へ給気される。
【０１０８】
第１吹出口４１ａから給気された冷風は、第２導風機構４６ｂの上１／３に形成された通気口４９を通過した後、第１導風機構４６ａの風向板４７に衝突し、サーバラック１３ｇに向かって誘導される。第２吹出口４１ｂから給気された冷風は、第３導風機構４６ｃの上２／３に形成された通気口４９を通過した後、第２導風機構４６ｂの風向板４７に衝突し、サーバラック１３ｆに向かって誘導される。第３吹出口４１ｃから給気された冷風は、第３導風機構４６ｃの下１／３を閉鎖する風向板４７に衝突し、その進行方向が前後方向から下方向に変更され、サーバラック１３ｅに向かって誘導される。
【０１０９】
なお、図１２と同様に、吹出ユニット１８ａの第１吹出口４１ａから給気された冷風は、コアンダ効果によってコールドアイル１４の天井５１とたれ壁２４とに沿ってコールドアイル１４の前方エリア２０（目標箇所）に向かう。コアンダ効果を利用してサーバを実装したサーバラック１３ｇが位置するコールドアイル１４に冷風が確実に給気される。
【０１１０】
サーバラック１３ｅ〜１３ｇに向かった冷風は、サーバラック１３ｅ〜１３ｇの側方からラック１３ｅ〜１３ｇに流入し、ラック１３ｅ〜１３ｇを通流しつつラック１３ｅ〜１３ｇに実装されたサーバを冷却する。サーバラック１３ｅ〜１３ｇを通流した給気された冷風の移動経路は、図１２，１３に示すそれと同一である。
【０１１１】
情報処理機器室用空調システム１０Ａは、サーバラック１３ａ〜１３ｇへのサーバの実装率が設定率を下回る場合、空調機１６ａ〜１６ｃから床下空間３２に冷風を給気することなく、サーバを実装したサーバラック（１３ｇ、または、１３ｆおよび１３ｇ、あるいは、１３ｅ〜１３ｇ）が位置するコールドアイル１４に向かって吹出ユニット１８ａ〜１８ｃから冷風を給気する第１給気手段を実施するから、サーバラック（１３ｇ、または、１３ｆおよび１３ｇ、あるいは、１３ｅ〜１３ｇ）に実装されたサーバを冷却することができるのみならず、サーバを実装していないサーバラック（１３ａ〜１３ｆ、または、１３ａ〜１３ｅ、あるいは、１３ａ〜１３ｄ）に冷風が殆ど給気されることはなく、サーバの冷却に使用する冷風を必要最小限にすることができ、サーバの冷却に利用されない必要量以上の冷風の空調機１６ａ〜１６ｃからの給気を防ぐことができる。
【０１１２】
情報処理機器室用空調システム１０Ａは、吹出ユニット１８ａ〜１８ｃを利用してサーバを実装したサーバラック（１３ｇ、または、１３ｆおよび１３ｇ、あるいは、１３ｅ〜１３ｇ）が位置するコールドアイル１４を中心に冷風が給気されるから、サーバの冷却時に空調機１６ａ〜１６ｃにおいて必要量以上の冷風送風エネルギーが消費されることはなく、情報処理機器室用空調システム１０Ａにおける省エネルギー化を図ることができる。
【０１１３】
情報処理機器室用空調システム１０Ａは、第１モータダンパ３１の開度や送風ファン２８の出力を調節することで、第１給気手段においてサーバの実装率に応じて吹出ユニット１８ａ〜１８ｃから給気する冷風の風量を変更するから、実装率が低いときに吹出ユニット１８ａ〜１８ｃから給気する冷風の風量を少なくすることができ、実装率が増えるにしたがって吹出ユニット１８ａ〜１８ｃから給気する冷風の風量を多くすることができる。したがって、第１給気手段において必要最小限の冷風を利用してサーバラック１３ｅ〜１３ｇに実装されたサーバを冷却することができる。
【０１１４】
サーバの稼働状況によってサーバの自己発熱の温度は異なるが、稼働率が高いサーバはその温度が高くなる傾向にあり、サーバの熱によってその近傍のコールドアイル１４の温度が予想以上に上昇し、第１給気手段の継続中にコールドアイル１４の温度が設定温度の範囲を超過する場合がある。
【０１１５】
第１給気手段を継続中にコントローラ１９は、第１温度センサ１７ａ〜１７ｈが計測した第１温度と設定温度とを比較し、第１温度センサ１７ａ〜１７ｈのいずれかが計測した第１温度が設定温度を上回ったかを判断する（Ｓ−１３）。ステップ１３（Ｓ−１３）において、第１温度が設定温度の範囲にある場合、コントローラ１９は、送風ファン２８の出力（送風能力）を維持した状態で第１給気手段を継続する（Ｓ−１４）。コントローラ１９は、風量を維持する出力維持信号を送風ファン２８の制御部に送信する。送風ファン２８の制御部は、コントローラ１９からの出力維持信号にしたがって送風ファン２８の出力を維持する。
【０１１６】
コントローラ１９は、ステップ１４（Ｓ−１４）において第１給気手段を継続中に、情報処理機器室用空調システム１０Ａの空調運転の停止が指令されたかを判断する（Ｓ−１５）。コントローラ１９は、停止が指令されない限り、第１給気手段を継続しつつ、ステップ１３（Ｓ−１３）において第１温度が設定温度を上回ったか監視し、ステップ１３（Ｓ−１３）からの手順を繰り返す。なお、停止が指令された場合、コントローラ１９は空調運転を停止し、情報処理機器室用空調システム１０Ａが停止する。
【０１１７】
ステップ１３（Ｓ−１３）において、第１温度が設定温度を上回ったと判断した場合、コントローラ１９は、第１温度が設定温度の範囲内にあるときよりも送風ファン２８の出力を増加（例えば、現在の送風ファン２８の出力を５〜１０％増加）させて吹出ユニット１８ａから給気する冷風の風量を増加させ、その状態で第１給気手段を継続する（Ｓ−１６）。
【０１１８】
コントローラ１９は、増加させた風量に対応する出力指示信号を送風ファン２８の制御部に送信する。送風ファン２８の制御部は、コントローラ１９からの出力指示信号にしたがって送風ファン２８の出力をインバータ制御し、出力を増加させた後、その出力を維持する。
【０１１９】
第１給気手段において第１温度が設定温度を上回った場合、サーバラック（１３ｇ、または、１３ｆおよび１３ｇ、あるいは、１３ｅ〜１３ｇ）に実装されたサーバの温度が上昇しており、送風ファン２８の出力を増加させ、吹出ユニット１８ａから給気する冷風の風量を増加させることで、第１温度が設定温度の範囲内にある場合と比較し、第１温度が設定温度の範囲内にあるときよりも多くの風量の冷風をそれらサーバラック（１３ｇ、または、１３ｆおよび１３ｇ、あるいは、１３ｅ〜１３ｇ）に給気するから、サーバラック（１３ｇ、または、１３ｆおよび１３ｇ、あるいは、１３ｅ〜１３ｇ）に実装されたサーバを確実に冷却することができ、温度が上昇した稼働中のサーバの故障を防ぐことができる。
【０１２０】
風量を増加させた状態で第１給気手段を継続中にコントローラ１９は、第１温度と設定温度とを比較し、第１温度が設定温度以下になったかを判断する（Ｓ−１７）。ステップ１７（Ｓ−１７）において、第１温度が設定温度を上回っている場合、コントローラ１９は、ステップ１６（Ｓ−１６）において増加させた送風ファン２８の出力をさらに増加（例えば、ステップ１６（Ｓ−１６）において増加させた送風ファン２８の出力をさらに５〜１０％増加）させ、その状態で第１給気手段を継続し（Ｓ−１８）、ステップ１７（Ｓ−１７）において第１温度が設定温度以下になったか監視する。
【０１２１】
コントローラ１９は、さらに増加させた風量に対応する出力指示信号を送風ファン２８の制御部に送信する。送風ファン２８の制御部は、コントローラ１９からの出力指示信号にしたがって送風ファン２８の出力をインバータ制御し、出力をさらに増加させた後、その出力を維持する。
【０１２２】
ステップ１７（Ｓ−１７）において第１温度が設定温度以下になったと判断した場合、コントローラ１９は、第１温度が設定温度を上回った場合に増加させた風量を維持しつつ、その風量（増加させたままの風量）の冷風を吹出ユニット１８ａから給気し、第１給気手段を継続する（Ｓ−１９）。コントローラ１９は、風量を維持する出力維持信号を送風ファン２８の制御部に送信する。送風ファン２８の制御部は、コントローラ１９からの出力維持信号にしたがって送風ファン２８の出力を維持する。
【０１２３】
第１給気手段では、第１温度が設定温度以下になった場合、第１温度が設定温度を上回った場合に増加させた風量を維持しつつその風量の冷風を吹出ユニット１８ａから給気することで、サーバラック（１３ｇ、または、１３ｆおよび１３ｇ、あるいは、１３ｅ〜１３ｇ）に実装されて温度が低下したサーバの温度の再上昇を防ぐことができ、低下したサーバの温度を維持することができる。
【０１２４】
コントローラ１９は、ステップ１９（Ｓ−１９）において第１給気手段を継続中に、情報処理機器室用空調システム１０Ａの空調運転の停止が指令されたかを判断する（Ｓ−２０）。コントローラ１９は、停止が指令されない限り、第１温度が設定温度を上回った場合に増加させた風量を維持した状態で第１給気手段を継続し（Ｓ−２１）、ステップ２０（Ｓ−２０）において情報処理機器室用空調システム１０Ａの空調運転の停止が指令されたかを監視する。停止が指令された場合、コントローラ１９が空調運転を停止し、情報処理機器室用空調システム１０Ａが停止する。
【０１２５】
図１９は、第２給気手段の一例を説明する図１と同様の側面図であり、図２０は、第２給気手段の一例を説明する図２と同様の正面図である。図１９では、コントローラ１９の図示を省略し、空調機１６ａおよび吹出ユニット１８ａのみを例示して第２給気手段を説明する。図２０では、第１〜第３導風機構４６ａ〜４６ｃおよび床下導風機構５３の図示を省略している。
【０１２６】
図１９では、前方エリア２０に位置するサーバラック１３ｇからサーバが実装される場合において、第２〜第７サーバラック１３ｂ〜１３ｇにサーバが実装されており、実装率が約８５．７％である。したがって、実装率（８５．７％）が設定率（５０％）を超過し、実装率が設定率を上回る。入力装置によって実装率（８５．７％および実装位置情報）が入力されると、コントローラ１９は、記憶デバイスから実装率および設定率、設定温度を読み込み（Ｓ−１０）、ステップ１１（Ｓ−１１）において実装率（８５．７％）と設定率（５０％）とを比較し、実装率が設定率を下回っているかを判断する。
【０１２７】
コントローラ１９は、実装率（８５．７％）が設定率（５０％）を上回ると判断すると、空調機１６ａから床下空間３２に冷風を給気するとともに、吹出ユニット１８ａからサーバを実装したサーバラック１３ｂ〜１３ｇが位置するコールドアイル１４に向かって冷風を給気する第２給気手段を実施する（Ｓ−２２）。第２給気手段は、実装率が設定率から１００％になるまでの間で実施される。
【０１２８】
コントローラ１９は、第２給気手段において、吹出ユニット１８ａから給気される冷風と床下空間３２に給気される冷風との全風量を１００％としたときに、吹出ユニット１８ａから給気する冷風の風量を例えば５０％に調節するとともに、床下空間３２に給気する冷風の風量を例えば５０％に調節する。
【０１２９】
コントローラ１９は、風量５０％に対応する開度指示信号を第１モータダンパ３１の制御部に送信する。第１モータダンパ３１の制御部は、コントローラ１９からの開度指示信号にしたがって開度を開度指示信号のそれに一致させ、風量５０％に対応する開度を維持する。第２給気手段では、第１モータダンパ３１の開度を調節することで、サーバラック１３ａ〜１３ｇへのサーバの実装率に応じて吹出ユニット１８ａから給気する冷風の風量が変更される。サーバの実装率に応じたモータダンパ３１の開度は任意に設定することができる。
【０１３０】
コントローラ１９は、風量５０％に対応する出力指示信号を送風ファン２８の制御部に送信する。送風ファン２８の制御部は、コントローラ１９からの出力指示信号にしたがって送風ファン２８の出力をインバータ制御し、風量５０％に対応する出力を維持する。第２給気手段では、送風ファン２８の出力を調節することで、サーバラック１３ａ〜１３ｇへのサーバの実装率に応じて吹出ユニット１８ａから給気する冷風の風量が変更される。サーバの実装率に応じた送風ファン２８の出力は任意に設定することができる。
【０１３１】
吹出ユニット１８ａでは、第１〜第３風速調節ダンパ３７ａ〜３７ｄが開放されている。第１〜第３導風機構４６ａ〜４６ｃは、既に天井５１から垂下している。送風ファン２８を介して第１吹出ユニット１８ａから給気された冷風の移動経路は、図１２〜図１５に示すそれと同一である。
【０１３２】
コントローラ１９は、第２モータダンパ３３の制御部に起動信号を送信するとともに、風量５０％に対応する開度指示信号をモータダンパ３３の制御部に送信する。第２モータダンパ３３の制御部は、コントローラ１９からの起動信号にしたがってモータダンパ３３を起動させるとともに、コントローラ１９からの開度指示信号にしたがって開度を開度指示信号のそれに一致させ、風量５０％に対応する開度を維持する。第２給気手段では、第２モータダンパ３３の開度を調節することで、サーバラック１３ａ〜１３ｇへのサーバの実装率に応じて床下空間３２に給気する冷風の風量が変更される。サーバの実装率に応じたモータダンパ３３の開度は任意に設定することができる。
【０１３３】
情報処理機器室用空調システム１０Ａは、サーバラック１３ａ〜１３ｇへのサーバの実装率が設定率の範囲を上回る場合、空調機１６ａ〜１６ｃから床下空間３２に冷風を給気するとともに、サーバを実装したサーバラック１３ｂ〜１３ｇが位置するコールドアイル１４に向かって吹出ユニット１８ａ〜１８ｃから冷風を給気するから、実装率が設定率を上回り、所定台数のサーバが稼働した場合にそれらサーバのすべてを満遍なく冷却することができ、稼働中のサーバの温度上昇による故障を防ぐことができる。
【０１３４】
情報処理機器室用空調システム１０Ａは、送風ファン２８の出力、第１モータダンパ３１の開度、第２モータダンパ３３の開度を調節することで、第２給気手段においてサーバの実装率に応じて床下空間３２に給気する冷風の風量と吹出ユニット１８ａ〜１８ｃから給気する冷風の風量との少なくとも一方を変更するから、実装率が設定率を上回った場合でも実装率が低いときに、床下空間３２に給気する冷風の風量や吹出ユニット１８ａ〜１８ｃから給気する冷風の風量を少なくすることができ、実装率が増えるにしたがって床下空間３２に給気する冷風の風量や吹出ユニット１８ａ〜１８ｃから給気する冷風の風量を多くすることができる。したがって、第２給気手段において必要最小限の冷風を利用してサーバラック１３ａ〜１３ｇに実装されたサーバを冷却することができる。
【０１３５】
第２給気手段の継続中にサーバの稼働状況によってコールドアイル１４の温度が予想以上に上昇し、第２給気手段の継続中にコールドアイル１４の温度が設定温度の範囲を超過する場合がある。第２給気手段の継続中にコントローラ１９は、第１温度センサ１７ａ〜１７ｈが計測した第１温度と設定温度とを比較し、第１温度センサ１７ａ〜１７ｈのいずれかが計測した第１温度が設定温度を上回ったかを判断する（Ｓ−２３）。ステップ２３（Ｓ−２３）において、第１温度が設定温度の範囲にある場合、コントローラ１９は、送風ファン２８の出力を維持した状態で第２給気手段を継続する（Ｓ−２４）。
【０１３６】
コントローラ１９は、ステップ２４（Ｓ−２４）において第２給気手段を継続中に、システム１０Ａの空調運転の停止が指令されたかを判断する（Ｓ−２５）。コントローラ１９は、停止が指令されない限り、第２給気手段を継続しつつ、ステップ２３（Ｓ−２３）において第１温度が設定温度を上回ったか監視し、ステップ２３（Ｓ−２３）からの手順を繰り返す。停止が指令された場合、コントローラ１９は空調運転を停止し、情報処理機器室用空調システム１０Ａが停止する。
【０１３７】
ステップ２３（Ｓ−２３）において、第１温度が設定温度を上回ったと判断した場合、コントローラ１９は、第１温度が設定温度の範囲内にあるときよりも送風ファン２８の出力を増加（例えば、現在の送風ファン２８の出力を５〜１０％増加）させて吹出ユニット１８ａから給気する冷風の風量と床下空間２３に給気する冷風の風量との少なくとも一方を増加させ、その状態で第２給気手段を継続する（Ｓ−２６）。
【０１３８】
コントローラ１９は、増加させた風量に対応する出力指示信号を送風ファン２８の制御部に送信する。送風ファン２８の制御部は、コントローラ１９からの出力指示信号にしたがって送風ファン２８の出力をインバータ制御し、出力を増加させた後、その出力を維持する。
【０１３９】
第２給気手段において第１温度が設定温度を上回った場合、サーバラック１３ｂ〜１３ｇに実装されたサーバの温度が上昇しており、送風ファン２８の出力を増加させ、吹出ユニット１８ａから給気する冷風の風量や床下空間３２に給気する冷風の風量を増加させることで、第１温度が設定温度の範囲内にある場合と比較し、第１温度が設定温度の範囲内にあるときよりも多くの風量の冷風をそれらサーバラック１３ｂ〜１３ｇに給気するから、サーバラック１３ｂ〜１３ｇに実装されたサーバを確実に冷却することができ、温度が上昇したサーバの故障を防ぐことができる。
【０１４０】
風量を増加させた状態で第２給気手段を継続中にコントローラ１９は、第１温度と設定温度とを比較し、第１温度が設定温度以下になったかを判断する（Ｓ−２７）。ステップ２７（Ｓ−２７）において、第１温度が設定温度を上回っている場合、コントローラ１９は、ステップ２６（Ｓ−２６）において増加させた送風ファン２８の出力をさらに増加（例えば、ステップ２６（Ｓ−２６）において増加させた送風ファン２８の出力をさらに５〜１０％増加）させ、その状態で第２給気手段を継続し（Ｓ−２８）、ステップ２７（Ｓ−２７）において第１温度が設定温度以下になったか監視する。
【０１４１】
コントローラ１９は、さらに増加させた風量に対応する出力指示信号を送風ファン２８の制御部に送信する。送風ファン２８の制御部は、コントローラ１９からの出力指示信号にしたがって送風ファン２８の出力をインバータ制御し、出力をさらに増加させた後、その出力を維持する。
【０１４２】
ステップ２７（Ｓ−２７）において第１温度が設定温度以下になったと判断した場合、コントローラ１９は、第１温度が設定温度を上回った場合に増加させた風量を維持しつつ、その風量（増加させたままの風量）の冷風を吹出ユニット１８ａと第２給気ダクト３０とから給気し、第２給気手段を継続する（Ｓ−２９）。コントローラ１９は、風量を維持する出力維持信号を送風ファン２８の制御部に送信する。送風ファン２８の制御部は、コントローラ１９からの出力維持信号にしたがって送風ファン２８の出力を維持する。
【０１４３】
第２給気手段では、第１温度が設定温度以下になった場合、第１温度が設定温度を上回った場合に増加させた風量を維持しつつその風量の冷風を吹出ユニット１８ａと第２給気ダクト３０とから給気することで、サーバラック（１３ｂ〜１３ｇ）に実装されて温度が低下したサーバの温度の再上昇を防ぐことができ、低下したサーバの温度を維持することができる。
【０１４４】
コントローラ１９は、ステップ２９（Ｓ−２９）において第２給気手段を継続中に、システム１０Ａの空調運転の停止が指令されたかを判断する（Ｓ−３０）。コントローラ１９は、停止が指令されない限り、第１温度が設定温度を上回った場合に増加させた風量を維持した状態で第２給気手段を継続し（Ｓ−３１）、ステップ３０（Ｓ−３０）において情報処理機器室用空調システム１０Ａの空調運転の停止が指令されたかを監視する。停止が指令された場合、コントローラ１９が空調運転を停止し、情報処理機器室用空調システム１０Ａが停止する。
【０１４５】
図２１は、第１給気手段の他の一例を説明する図１と同様の側面図であり、図２２は、第１給気手段の他の一例を説明する図２と同様の正面図である。図２１，２２では、コントローラ１９の図示を省略し、空調機１６ａおよび吹出ユニット１８ａのみを例示して第１給気手段を説明する。
【０１４６】
情報処理機器室用空調システム１０Ｂでは、吹出ユニット１８ａ〜１８ｃ（空調機１６ａ〜１６ｃ）から近い近距離のコールドアイル１４の後方エリア２２に位置する第１サーバラック１３ａからサーバが実装され、サーバの実装率があらかじめ設定された設定率を下回る場合、第１給気手段を実施する。情報処理機器室用空調システム１０Ｂでは、後方エリア２２に位置する第１サーバラック１３ａから前方エリア２０に位置する第７サーバラック１３ｇに向かってサーバが実装されて実装率が設定率を上回った場合、第２給気手段を実施する。
【０１４７】
情報処理機器室用空調システム１０Ｂでは、コールドアイル１４の中央エリア２１と後方エリア２２との間に延びる天井５１の所定の箇所に第１〜第３導風機構４６ａ〜４６ｃ（第１〜第ｎ導風機構）が設置されている。また、コールドアイル１４の前方エリア２０の側に位置する床下空間３２に床下導風機構５３（風向板）が設置されている。床下導風機構５３は、床５２から床下空間３２に向かって垂下している。
【０１４８】
第１導風機構４６ａ（図５，６参照）は、コールドアイル１４の中央アリア２１の天井５１に旋回可能に設置され、その使用時に天井５１から垂下する。第２導風機構４６ｂ（図７，８参照）は、コールドアイル１４の後方エリア２２と中央アリア２１との間の天井５１に旋回可能に設置され、その使用時に天井５１から垂下する。第３導風機構４６ｃ（図９，１０参照）は、コールドアイル１４の後方エリア２２の側の天井５１に旋回可能に設置され、その使用時に天井５１から垂下する。
【０１４９】
図２１では、第１および第２サーバラック１３ａ，１３ｂの全体と第３サーバラック１３ｃの略半分とにサーバが実装され、サーバラック１３ａ〜１３ｇ全体に対するサーバの実装率が約３５．７％であり、実装率（約３５．７％）が設定率（５５％）を下回る。コントローラ１９は、入力された実装率（約３５．７％および実装位置情報）、設定率（たとえば、４５〜５５％の範囲の中から５５％に設定されたものとする）、設定温度を記憶デバイスから読み込み（Ｓ−１０）、実装率と設定率とを比較し、実装率が設定率を下回っているかを判断する（Ｓ−１１）。
【０１５０】
コントローラ１９は、サーバの実装率が設定率を下回ると判断し、空調機１６ａから床下空間３２に冷風を給気することなく、吹出ユニット１８ａからサーバを実装した第１〜第３サーバラック１３ａ〜１３ｃが位置するコールドアイル１４に向かって冷風を給気する第１給気手段を実施する（Ｓ−１２）。コントローラ１９は、第１給気手段において、吹出ユニット１８ａから給気される冷風と床下空間３２に給気される冷風との全風量を１００％としたときに、吹出ユニット１９ａから給気する冷風の風量を例えば３５％に調節する。
【０１５１】
送風ファン２８の制御部は、コントローラ１９からの起動信号にしたがって送風ファン２８を起動させるとともに、コントローラ１９からの風量３５％に対応する出力指示信号にしたがって送風ファン２８の出力をインバータ制御し、吹出ユニット１８ａから給気する冷風の風量３５％に対応する出力を維持する。
【０１５２】
第１モータダンパ３１の制御部は、コントローラ１９からの起動信号にしたがってモータダンパ３１を起動させるとともに、コントローラ１９からの風量３５％に対応する開度指示信号にしたがって開度を開度指示信号のそれに一致させ、吹出ユニット１９ａから給気する冷風の風量３５％に対応する開度を維持する。
【０１５３】
コントローラ１９は、第３および第２導風機構４６ｂ，４６ｃの自動開閉装置にＯＮ信号（開信号）を送信する。自動開閉装置は、コントローラ１９から送信されたＯＮ信号にしたがって導風機構４６ｂ，４６ｃを天井５１から下方へ旋回させる。それによって導風機構４６ｂ，４６ｃが天井５１から垂下する。
【０１５４】
空調機１６ａから給気された冷風は、図２１に示すように、吹出ユニット１８ａの下段および中段の第２および第３吹出口４１ｂ，４１ｃからコールドアイル１４の中央エリア２１および後方エリア２２に向かって前方へ給気される。冷風は、それらエリア２１，２２に達すると、第２および第３導風機構４６ｂ，４６ｃの風向板４７に衝突し、その進行方向が前後方向から下方向に変更され、第１〜第３サーバラック１３ａ〜１３ｃに向かって誘導される。
【０１５５】
第１〜第３サーバラック１３ａ〜１３ｃに向かった冷風は、第１〜第３サーバラック１３ａ〜１３ｃの側方から第１〜第３サーバラック１３ａ〜１３ｃに流入し、第１〜第３サーバラック１３ａ〜１３ｃを通流しつつ第１〜第３サーバラック１３ａ〜１３ｃに実装されたサーバを冷却する。第１〜第３サーバラック１３ａ〜１３ｃを通流した給気された冷風の移動経路は、図１２，１３に示すそれと同一である。
【０１５６】
図２２に示すシステム１０Ｂでは、第１〜第３サーバラック１３ａ〜１３ｃの全体と第４サーバラック１３ｄの略１／３とにサーバが実装され、実装率が約４７．１％であり、実装率（４７．１％）が設定率（５５％）を下回る。コントローラ１９は、入力された実装率、設定率、設定温度を記憶デバイスから読み込み（Ｓ−１０）、実装率と設定率とを比較し、実装率が設定率を下回っているかを判断する（Ｓ−１１）。
【０１５７】
コントローラ１９は、サーバの実装率が設定率の範囲を下回ると判断し、空調機１６ａから床下空間３２に冷風を給気することなく、吹出ユニット１８ａからサーバを実装した第１〜第４サーバラック１３ａ〜１３ｄが位置するコールドアイル１４に向かって冷風を給気する第１給気手段を実施する（Ｓ−１２）。コントローラ１９は、第１給気手段において、吹出ユニット１８ａから給気される冷風と床下空間３２に給気される冷風との全風量を１００％としたときに、吹出ユニット１９ａから給気する冷風の風量を例えば４３％に調節する。
【０１５８】
第１モータダンパ３１の制御部は、コントローラ１９からの風量４３％に対応する開度指示信号にしたがって開度を開度指示信号のそれに一致させ、吹出ユニット１９ａから給気する冷風の風量４３％に対応する開度を維持する。送風ファン２８の制御部は、コントローラ１９からの風量４３％に対応する出力指示信号にしたがって送風ファン２８の出力をインバータ制御し、吹出ユニット１８ａから給気する冷風の風量４３％に対応する出力を維持する。
【０１５９】
コントローラ１９は、第１導風機構４６ａの自動開閉装置にＯＮ信号（開信号）を送信する。自動開閉装置は、コントローラ１９から送信されたＯＮ信号にしたがって導風機構４６ａを天井５１から下方へ旋回させる。それによって導風機構４６ａが天井５１から垂下する。なお、導風機構４６ｂ，４６ｃは既に天井５１から垂下している。
【０１６０】
空調機１６ａから給気された冷風は、図２２に示すように、吹出ユニット１８ａの上段、中段、下段の第１〜第３吹出口４１ａ〜４１ｃからコールドアイル１４の中央エリア２１および後方エリア２２に向かって前方へ給気される。冷風は、それらエリア２１，２２に達すると、第１〜第３導風機構４６ａ〜４６ｃの風向板４７に衝突し、その進行方向が前後方向から下方向に変更され、第１〜第４サーバラック１３ａ〜１３ｄに向かって誘導される。
【０１６１】
第１〜第４サーバラック１３ａ〜１３ｄに向かった冷風は、第１〜第４サーバラック１３ａ〜１３ｄの側方から第１〜第４サーバラック１３ａ〜１３ｄに流入し、第１〜第４サーバラック１３ａ〜１３ｄを通流しつつ第１〜第４サーバラック１３ａ〜１３ｄに実装されたサーバを冷却する。第１〜第４サーバラック１３ａ〜１３ｄを通流した給気された冷風の移動経路は、図１２，１３に示すそれと同一である。
【０１６２】
情報処理機器室用空調システム１０Ｂは、サーバラック１３ａ〜１３ｇへのサーバの実装率が設定率を下回る場合、空調機１６ａ〜１６ｃから床下空間３２に冷風を給気することなく、サーバを実装したサーバラック（１３ａ〜１３ｃ、または、１３ａ〜１３ｄ）が位置するコールドアイル１４に向かって吹出ユニット１８ａ〜１８ｃから冷風を給気する第１給気手段を実施するから、サーバラック（１３ａ〜１３ｃ、または、１３ａ〜１３ｄ）に実装されたサーバを冷却することができるのみならず、サーバを実装していないサーバラック（１３ｄ〜１３ｆ、または、１３ｅ〜１３ｆ）に冷風が給気されることはなく、サーバの冷却に使用する冷風を必要最小限にすることができ、サーバの冷却に利用されない冷風の空調機１６ａ〜１６ｃからの給気を防ぐことができる。
【０１６３】
情報処理機器室用空調システム１０Ｂは、吹出ユニット１８ａ〜１８ｃを利用してサーバを実装したサーバラック（１３ａ〜１３ｃ、または、１３ａ〜１３ｄ）が位置するコールドアイル１４のみに冷風が給気されるから、サーバの冷却時に空調機１６ａ〜１６ｃにおいて必要量以上の冷風送風エネルギーが消費されることはなく、システム１０Ａにおける省エネルギー化を図ることができる。
【０１６４】
情報処理機器室用空調システム１０Ｂは、第１モータダンパ３１の開度や送風ファン２８の出力を調節することで、第１給気手段においてサーバの実装率に応じて吹出ユニット１８ａ〜１８ｃから給気する冷風の風量を変更するから、実装率が低いときに吹出ユニット１８ａ〜１８ｃから給気する冷風の風量を少なくすることができ、実装率が増えるにしたがって吹出ユニット１８ａ〜１８ｃから給気する冷風の風量を多くすることができる。したがって、第１給気手段において必要最小限の冷風を利用してサーバラック１３ｅ〜１３ｇに実装されたサーバを冷却することができる。
【０１６５】
第１給気手段を継続中にコントローラ１９は、第１温度センサ１７ａ〜１７ｈが計測した第１温度と設定温度とを比較し、第１温度が設定温度の範囲を上回ったかを判断する（Ｓ−１３）。第１温度が設定温度の範囲にある場合、コントローラ１９は、送風ファン２８の出力（送風能力）を維持した状態で第１給気手段を継続する（Ｓ−１４）。
【０１６６】
コントローラ１９は、ステップ１４（Ｓ−１４）において第１給気手段を継続中に、情報処理機器室用空調システム１０Ｂの空調運転の停止が指令されたかを判断する（Ｓ−１５）。コントローラ１９は、停止が指令されない場合、第１給気手段を継続しつつ、ステップ１３（Ｓ−１３）からの手順を繰り返し、停止が指令された場合、空調運転を停止する。
【０１６７】
コントローラ１９は、ステップ１３（Ｓ−１３）において、第１温度が設定温度を上回ったと判断すると、第１温度が設定温度の範囲内にあるときよりも送風ファン２８の出力を増加（例えば、現在の送風ファン２８の出力を１０〜２０％増加）させて、その状態で第１給気手段を継続する（Ｓ−１６）。
【０１６８】
第１給気手段において第１温度が設定温度を上回った場合、サーバラック（１３ａ〜１３ｃ、または、１３ａ〜１３ｄ）に実装されたサーバの温度が上昇しており、送風ファン２８の出力を増加させ、吹出ユニット１８ａから給気する冷風の風量を増加させることで、第１温度が設定温度の範囲内にあるときよりも多くの風量の冷風をそれらサーバラック（１３ａ〜１３ｃ、または、１３ａ〜１３ｄ）に給気するから、サーバラック（１３ａ〜１３ｃ、または、１３ａ〜１３ｄ）に実装されたサーバを確実に冷却することができ、温度が上昇した稼働中のサーバの故障を防ぐことができる。
【０１６９】
風量を増加させた状態で第１給気手段を継続中にコントローラ１９は、第１温度と設定温度とを比較し、第１温度が設定温度以下になったかを判断する（Ｓ−１７）。第１温度が設定温度を上回っている場合、コントローラ１９は、ステップ１６（Ｓ−１６）において増加させた送風ファン２８の出力をさらに増加（例えば、ステップ１６（Ｓ−１６）において増加させた送風ファン２８の出力をさらに１０〜２０％増加）させ、その状態で第１給気手段を継続し（Ｓ−１８）、ステップ１７（Ｓ−１７）において第１温度が設定温度以下になったか監視する。
【０１７０】
ステップ１７（Ｓ−１７）において第１温度が設定温度以下になったと判断した場合、コントローラ１９は、第１温度が設定温度を上回った場合に増加させた風量を維持しつつ、その風量（増加させたままの風量）の冷風を吹出ユニット１８ａから給気し、第１給気手段を継続する（Ｓ−１９）。
【０１７１】
第１給気手段では、第１温度が設定温度以下になった場合、第１温度が設定温度を上回った場合に増加させた風量を維持しつつその風量の冷風を吹出ユニット１８ａから給気することで、サーバラック（１３ａ〜１３ｃ、または、１３ａ〜１３ｄ）に実装されて温度が低下したサーバの温度の再上昇を防ぐことができ、低下したサーバの温度を維持することができる。
【０１７２】
コントローラ１９は、ステップ１９（Ｓ−１９）において第１給気手段を継続中に、情報処理機器室用空調システム１０Ｂの空調運転の停止が指令されたかを判断する（Ｓ−２０）。コントローラ１９は、停止が指令されない限り、第１温度が設定温度を上回った場合に増加させた風量を維持しつつ第１給気手段を継続し（Ｓ−２１）、停止が指令された場合、空調運転を停止し、情報処理機器室用空調システム１０Ｂが停止する。
【０１７３】
図２３は、第２給気手段の他の一例を説明する図１と同様の側面図である。図２３では、コントローラ１９の図示を省略し、空調機１６ａおよび吹出ユニット１８ａのみを例示して第２給気手段を説明する。図２３では、後方エリア２２に位置するサーバラック１３ａからサーバが実装される場合において、第１〜第５サーバラック１３ａ〜１３ｅ全体と第６サーバラック１３ｆの略２／３とにサーバが実装されており、実装率が約８０．８％である。したがって、実装率（約８０．８％）が設定率（５５％）を超過し、実装率が設定率を上回る。
【０１７４】
コントローラ１９は、入力された実装率（約８０．８％および実装位置情報）、設定率（５５％）、設定温度を記憶デバイスから読み込み（Ｓ−１０）、実装率と設定率とを比較し、実装率が設定率を下回っているかを判断する（Ｓ−１１）。コントローラ１９は、サーバの実装率が設定率を上回ると判断し、空調機１６ａから床下空間３２に冷風を給気するとともに、吹出ユニット１８ａからサーバを実装したサーバラック１３ａ〜１３ｆが位置するコールドアイル１４に向かって冷風を給気する第２給気手段を実施する（Ｓ−２２）。
【０１７５】
コントローラ１９は、第２給気手段において、吹出ユニット１８ａから給気される冷風と床下空間３２に給気される冷風との全風量を１００％としたときに、吹出ユニット１８ａから給気する冷風の風量を例えば５５％に調節するとともに、床下空間３２に給気する冷風の風量を例えば５５％に調節する。
【０１７６】
第１モータダンパ３１の制御部は、コントローラ１９からの風量５５％に対応する開度指示信号にしたがって開度を開度指示信号のそれに一致させ、風量５５％に対応する開度を維持する。送風ファン２８の制御部は、コントローラ１９からの風量５５％に対応する出力指示信号にしたがって送風ファン２８の出力をインバータ制御し、吹出ユニット１８ａから給気する冷風の風量５５％に対応する出力を維持する。
【０１７７】
吹出ユニット１８ａでは、第１〜第３風速調節ダンパ３７ａ〜３７ｄが開放されている。第１〜第３導風機構４６ａ〜４６ｃは、既に天井５１から垂下している。送風ファン２８を介して第１吹出ユニット１８ａから給気された冷風の移動経路は、図２２に示すそれと同一である。
【０１７８】
コントローラ１９は、第２モータダンパ３３の制御部に起動信号を送信するとともに、風量５５％に対応する開度指示信号をモータダンパ３３の制御部に送信する。第２モータダンパ３３の制御部は、コントローラ１９からの起動信号にしたがってモータダンパ３３を起動させるとともに、コントローラ１９からの開度指示信号にしたがって開度を開度指示信号のそれに一致させ、風量５５％に対応する開度を維持する。
【０１７９】
情報処理機器室用空調システム１０Ｂは、サーバラック１３ａ〜１３ｇへのサーバの実装率が設定率の範囲を上回る場合、空調機１６ａ〜１６ｃから床下空間３２に冷風を給気するとともに、サーバを実装したサーバラック１３ａ〜１３ｆが位置するコールドアイル１４に向かって吹出ユニット１８ａ〜１８ｃから冷風を給気するから、実装率が設定率を上回り、所定台数のサーバが稼働した場合にそれらサーバのすべてを満遍なく冷却することができ、稼働中のサーバの温度上昇による故障を防ぐことができる。
【０１８０】
情報処理機器室用空調システム１０Ｂは、送風ファン２８の出力や第１および第２モータダンパ３１，３３の開度を調節することで、第２給気手段においてサーバの実装率に応じて床下空間３２に給気する冷風の風量と吹出ユニット１８ａ〜１８ｃから給気する冷風の風量との少なくとも一方を変更するから、実装率が設定率を上回った場合でも実装率が低いときに、床下空間３２に給気する冷風の風量や吹出ユニット１８ａ〜１８ｃから給気する冷風の風量を少なくすることができ、実装率が増えるにしたがって床下空間３２に給気する冷風の風量や吹出ユニット１８ａ〜１８ｃから給気する冷風の風量を多くすることができる。したがって、第２給気手段において必要最小限の冷風を利用してサーバラック１３ａ〜１３ｇに実装されたサーバを冷却することができる。
【０１８１】
第２給気手段の継続中にコントローラ１９は、第１温度センサ１７ａ〜１７ｈが計測した第１温度と設定温度とを比較し、第１温度が設定温度を上回ったかを判断する（Ｓ−２３）。第１温度が設定温度の範囲にある場合、コントローラ１９は、送風ファン２８の出力を維持した状態で第２給気手段を継続する（Ｓ−２４）。
【０１８２】
コントローラ１９は、ステップ２４（Ｓ−２４）において第２給気手段を継続中に、システム１０Ｂの空調運転の停止が指令されたかを判断する（Ｓ−２５）。コントローラ１９は、停止が指令されない場合、第２給気手段を継続しつつ、ステップ２３（Ｓ−２３）からの手順を繰り返し、停止が指令された場合、空調運転を停止し、情報処理機器室用空調システム１０Ｂが停止する。
【０１８３】
ステップ２３（Ｓ−２３）において、第１温度が設定温度を上回ったと判断すると、コントローラ１９は、第１温度が設定温度の範囲内にあるときよりも送風ファン２８の出力を増加（例えば、現在の送風ファン２８の出力を１０〜２０％増加）させて吹出ユニット１８ａから給気する冷風の風量と床下空間２３に給気する冷風の風量との少なくとも一方を増加させ、その状態で第２給気手段を継続する（Ｓ−２６）。
【０１８４】
第２給気手段において第１温度が設定温度を上回った場合、サーバラック１３ａ〜１３ｆに実装されたサーバの温度が上昇しており、送風ファン２８の出力を増加させ、吹出ユニット１８ａから給気する冷風の風量や床下空間３２に給気する冷風の風量を増加させることで、第１温度が設定温度の範囲内にあるときよりも多くの風量の冷風をそれらサーバラック１３ａ〜１３ｆに給気するから、サーバラック１３ａ〜１３ｆに実装されたサーバを確実に冷却することができ、温度が上昇したサーバの故障を防ぐことができる。
【０１８５】
風量を増加させた状態で第２給気手段を継続中にコントローラ１９は、第１温度と設定温度とを比較し、第１温度が設定温度以下になったかを判断する（Ｓ−２７）。第１温度が設定温度を上回っている場合、コントローラ１９は、ステップ２６（Ｓ−２６）において増加させた送風ファン２８の出力をさらに増加（例えば、ステップ２６（Ｓ−２６）において増加させた送風ファン２８の出力をさらに１０〜２０％増加）させ、その状態で第２給気手段を継続し（Ｓ−２８）、ステップ２７（Ｓ−２７）において第１温度が設定温度以下になったか監視する。
【０１８６】
ステップ２７（Ｓ−２７）において、第１温度が設定温度以下になったと判断した場合、コントローラ１９は、第１温度が設定温度を上回った場合に増加させた風量を維持しつつ、その風量（増加させたままの風量）の冷風を吹出ユニット１８ａと第２給気ダクト３０とから給気し、第２給気手段を継続する（Ｓ−２９）。
【０１８７】
第２給気手段では、第１温度が設定温度以下になった場合、第１温度が設定温度を上回った場合に増加させた風量を維持しつつその風量の冷風を吹出ユニット１８ａと第２給気ダクト３０とから給気することで、サーバラック（１３ａ〜１３ｆ）に実装されて温度が低下したサーバの温度の再上昇を防ぐことができ、低下したサーバの温度を維持することができる。
【０１８８】
コントローラ１９は、ステップ２９（Ｓ−２９）において第２給気手段を継続中に、システム１０Ｂの空調運転の停止が指令されたかを判断する（Ｓ−３０）。コントローラ１９は、停止が指令されない場合、第１温度が設定温度を上回った場合に増加させた風量を維持しつつ第２給気手段を継続し（Ｓ−３１）、停止が指令された場合、空調運転を停止し、情報処理機器室用空調システム１０Ｂが停止する。
【符号の説明】
【０１８９】
１０Ａ  情報処理機器室空調システム
１０Ｂ  情報処理機器室空調システム
１１    データセンター
１２    空調室（情報処理機器室）
１３ａ〜１３ｇ  サーバラック
１４    コールドアイル
１５    ホットアイル
１６ａ〜１６ｃ  空調機
１７ａ〜１７ｈ  第１温度センサ
１８ａ  第１吹出ユニット
１８ｂ  第２吹出ユニット
１８ｃ  第３吹出ユニット
１９    コントローラ
２０    前端部
２１    中央部
２２    後端部
２３    頂部
２４    たれ壁
２５    機械室
２８ａ  第１送風ファン（第１送風機）
２８ｂ  第２送風ファン（第２送風機）
２９    第１給気ダクト
３０    第２給気ダクト
３１    第１モータダンパ（第１ダンパ）
３２    床下空間
３３    第２モータダンパ（第２ダンパ）
３４    底部
３５    給気チャンバ
３６ａ  第１分岐ダクト
３６ｂ  第２分岐ダクト
３６ｃ  第３分岐ダクト
３７ａ  第１風速調節ダンパ（第１〜第ｎ風速調節機構）
３７ｂ  第２風速調節ダンパ（第１〜第ｎ風速調節機構）
３７ｃ  第３風速調節ダンパ（第１〜第ｎ風速調節機構）
３８    吹出ハウジング
３９    内部空間
４０ａ  第１空気流入口（空気流入口）
４０ｂ  第２空気流入口（空気流入口）
４０ｃ  第３空気流入口（空気流入口）
４１ａ  第１空気吹出口（第１〜第ｎ空気吹出口）
４１ｂ  第２空気吹出口（第１〜第ｎ空気吹出口）
４１ｃ  第３空気吹出口（第１〜第ｎ空気吹出口）
４２    仕切板
４３ａ  第１空気流路（第１〜第ｎ空気流路）
４３ｂ  第２空気流路（第１〜第ｎ空気流路）
４３ｃ  第３空気流路（第１〜第ｎ空気流路）
４４    バイパスダクト
４６    バイパスダンパ
４６ａ  第１導風機構
４６ｂ  第２導風機構
４６ｃ  第３導風機構
４７    風向板
４８    支持枠（支持部材）
４９    通気口
５０    天井空間
５１    天井
５２    床
５３    床下導風機構
【図１】
0006339455.tif 000002
【図２】
0006339455.tif 000003
【図３】
0006339455.tif 000004
【図４】
0006339455.tif 000005
【図５】
0006339455.tif 000006
【図６】
0006339455.tif 000007
【図７】
0006339455.tif 000008
【図８】
0006339455.tif 000009
【図９】
0006339455.tif 000010
【図１０】
0006339455.tif 000011
【図１１】
0006339455.tif 000012
【図１２】
0006339455.tif 000013
【図１３】
0006339455.tif 000014
【図１４】
0006339455.tif 000015
【図１５】
0006339455.tif 000016
【図１６】
0006339455.tif 000017
【図１７】
0006339455.tif 000018
【図１８】
0006339455.tif 000019
【図１９】
0006339455.tif 000020
【図２０】
0006339455.tif 000021
【図２１】
0006339455.tif 000022
【図２２】
0006339455.tif 000023
【図２３】
0006339455.tif 000024